(57)【特許請求の範囲】
【請求項１】
無線通信システムにおいて基地局によって送信される端末の上りリンク同期化のための情報を送信する方法であって、前記方法は、
ソースマクロ基地局によって、あらかじめ定められた基準によって、ターゲットマクロ基地局のための同期化情報を要請する要請メッセージを小型基地局に送信することであって、前記端末は、前記ソースマクロ基地局及び前記小型基地局に同時に接続されている、ことと、
前記ソースマクロ基地局によって、前記要請メッセージに応答して、前記小型基地局から前記ターゲットマクロ基地局のための前記同期化情報を含む応答メッセージを受信することと、
前記ソースマクロ基地局によって、前記受信された同期化情報を、前記ターゲットマクロ基地局によってサービスされるセルへの移動を試みる一つ以上の端末に送信することと
を含み、
前記同期化情報は、前記ターゲットマクロ基地局から前記同期化情報を取得するための手順無しで、前記端末が前記ターゲットマクロ基地局によってサービスされるセルに移動するために用いられる、方法。
【請求項２】
前記小型基地局は、前記ターゲットマクロ基地局との距離が一定でありかつマクロ基地局に比べてカバレッジが小さい固定型の基地局を含む、請求項１に記載の方法。
【請求項３】
前記同期化情報は、前記小型基地局と前記ターゲットマクロ基地局との間のＴＡ（Ｔｉｍｉｎｇ  Ａｄｖａｎｃｅ）値を含む、請求項１に記載の方法。
【請求項４】
前記あらかじめ定められた基準は、
前記ソースマクロ基地局が前記端末から前記ターゲットマクロ基地局に関する測定情報を受信したとしても前記ソースマクロ基地局が前記ソースマクロ基地局と前記ターゲットマクロ基地局との間のＴＡ（Ｔｉｍｉｎｇ  Ａｄｖａｎｃｅ）値が分からない場合を含む、請求項１に記載の方法。
【請求項５】
前記あらかじめ定められた基準は、
前記ターゲットマクロ基地局へのハンドオーバーを行うための端末の個数が所定個数以上である場合を含む、請求項１に記載の方法。
【請求項６】
前記あらかじめ定められた基準は、
前記ソースマクロ基地局におそらく備えられるタイマーの設定時間が満了する場合を含む、請求項１に記載の方法。
【請求項７】
前記応答メッセージは、前記ソースマクロ基地局と前記小型基地局との間のバックホール網を介して受信される、請求項１に記載の方法。
【請求項８】
前記同期化情報は、前記小型基地局から前記端末に送信される、請求項１に記載の方法。
【請求項９】
前記ソースマクロ基地局は、第１のＰＣｅｌｌ（Ｐｒｉｍａｒｙ  Ｃｅｌｌ）にサービスを提供する基地局を含み、
前記端末は、前記第１のＰＣｅｌｌから前記ターゲットマクロ基地局によってサービスされる第２のＰＣｅｌｌに移動する端末を含む、請求項１に記載の方法。
【請求項１０】
無線接続ネットワーク環境において端末によって行われる通信を行う方法であって、前記方法は、
ターゲットマクロ基地局によってサービスされるセルに移動するための要請メッセージをソースマクロ基地局に送信することであって、前記端末は、前記ソースマクロ基地局及び小型基地局に同時に接続されている、ことと、
前記小型基地局から、前記ソースマクロ基地局を介して前記ターゲットマクロ基地局との上りリンク同期化のための情報を受信することと、
前記ターゲットマクロ基地局から前記上りリンク同期化のための情報を取得するための手順無しで、前記ターゲットマクロ基地局によってサービスされるセルに移動するための手順を行うことと
を含む、方法。
【請求項１１】
無線通信システムにおいて通信を行う端末であって、前記端末は、
送信部と、
受信部と、
プロセッサと
を備え、前記プロセッサは、
前記送信部及び前記受信部と接続されることによって前記通信を行うように前記端末を支援することと、
ターゲットマクロ基地局によってサービスされるセルに移動するための要請メッセージをソースマクロ基地局に送信することであって、前記端末は、前記ソースマクロ基地局及び小型基地局に同時に接続されている、ことと、
前記小型基地局から、前記ソースマクロ基地局を介して前記ターゲットマクロ基地局との上りリンク同期化のための情報を受信することと、
前記ターゲットマクロ基地局から前記上りリンク同期化のための情報を取得するための手順無しで、前記ターゲットマクロ基地局によってサービスされるセルに移動するための手順を行うことと
を実行するように構成される、端末。
【請求項１２】
無線通信システムにおいて端末の上りリンク同期化のための情報を送信する装置であって、前記装置は、
送信部と、
受信部と、
プロセッサと
を備え、
前記プロセッサは、
前記送信部及び前記受信部と接続されることによって通信を行うように前記装置を支援することと、
あらかじめ定められた基準によって、ターゲットマクロ基地局のための同期化情報を要請する要請メッセージを小型基地局に送信することであって、前記端末は、前記ターゲットマクロ基地局へのハンドオーバーを行い、前記端末は、前記装置及び前記小型基地局に同時に接続されている、ことと、
前記要請メッセージに応答して、前記小型基地局から前記ターゲットマクロ基地局のための前記同期化情報を含む応答メッセージを受信することと、
前記受信された同期化情報を、前記ターゲットマクロ基地局によってサービスされるセルへの移動を試みる一つ以上の端末に送信することと
を実行するように構成され、
前記同期化情報は、前記ターゲットマクロ基地局から前記同期化情報を取得するための手順無しで、前記端末が前記ターゲットマクロ基地局によってサービスされるセルに移動するために用いられる、装置。
【請求項１３】
前記同期化情報は、前記装置と前記ターゲットマクロ基地局との間のＴＡ（Ｔｉｍｉｎｇ  Ａｄｖａｎｃｅ）値を含む、請求項１２に記載の装置。
【請求項１４】
前記あらかじめ定められた基準は、
前記受信部が前記端末から前記ターゲットマクロ基地局に関する測定情報を受信したとしても前記プロセッサが前記装置と前記ターゲットマクロ基地局との間のＴＡ（Ｔｉｍｉｎｇ  Ａｄｖａｎｃｅ）値が分からない場合を含む、請求項１２に記載の装置。
【請求項１５】
前記あらかじめ定められた基準は、
前記ターゲットマクロ基地局へのハンドオーバーを行うための端末の個数が所定個数以上である場合を含む、請求項１２に記載の装置。
【請求項１６】
前記あらかじめ定められた基準は、
前記端末が前記装置及び追加基地局に同時に接続している状況で、前記受信部が前記追加基地局からＴＡ（Ｔｉｍｉｎｇ  Ａｄｖａｎｃｅ）情報要請メッセージを受信したとしても、前記プロセッサが前記装置と前記ターゲットマクロ基地局との間のＴＡ（Ｔｉｍｉｎｇ  Ａｄｖａｎｃｅ）値が分からない場合を含む、請求項１２に記載の装置。
【請求項１７】
前記装置は、タイマーをさらに備え、
前記あらかじめ定められた基準は、前記タイマーの設定時間が満了する場合を含む、請求項１２に記載の装置。
【発明の詳細な説明】
【技術分野】
【０００１】
本発明は、無線通信システムに関し、特に、無線通信システムにおいて基地局が端末の同期化のための情報を送信する方法及びこれを支援する装置に関する。
【背景技術】
【０００２】
一般に、基地局（Ｂａｓｅ  Ｓｔａｔｉｏｎ；  ＢＳ）と端末（Ｕｓｅｒ  Ｅｑｕｉｐｍｅｎｔ；  ＵＥ）を含んでなる無線通信システム（Ｗｉｒｅｌｅｓｓ  Ｃｏｍｍｕｎｉｃａｔｉｏｎ  Ｓｙｓｔｅｍ）は、音声やデータなどを含む各種の通信サービスを１つの基地局又はそれ以上の基地局を介して広範囲に端末に提供しており、一般に、１つの基地局は１つ以上のセル（Ｃｅｌｌ）を含むことができる。
【０００３】
近年、無線通信システムの構造は、従来の垂直的階層であるマクロセル（ｍａｃｒｏ  ｃｅｌｌ）ベースの集中式基地局の形態から、ピコセル（ｐｉｃｏ  ｃｅｌｌ）、フェムトセル（ｆｅｍｔｏ  ｃｅｌｌ）などの様々な形態のスモールセル（ｓｍａｌｌ  ｃｅｌｌ）がマクロセルと連動する基地局の形態ほと変化しつつある。
【０００４】
また、３ＧＰＰ（３ｒｄ  Ｇｅｎｅｒａｔｉｏｎ  Ｐａｒｔｎｅｒｓｈｉｐ  Ｐｒｏｊｅｃｔ）標準化範ちゅうの一つであるＥ−ＵＴＲＡのためのスモールセル改善（Ｓｍａｌｌ  Ｃｅｌｌ  Ｅｎｈａｎｃｅｍｅｎｔｓ  ｆｏｒ  Ｅ−ＵＴＲＡ）及びＥ−ＵＴＲＡＮスタディアイテム（Ｅ−ＵＴＲＡＮ  ＳＩ（Ｓｔｕｄｙ  Ｉｔｅｍ））では、低電力ノードを使用する室内／室外（ｉｎｄｏｏｒ／ｏｕｔｄｏｏｒ）シナリオを改善するための議論を活発に行っている。
【０００５】
なお、Ｅ−ＵＴＲＡのためのスモールセル改善及びＥ−ＵＴＲＡＮ  ＳＩでは、端末がマクロセル層（Ｍａｃｒｏ  Ｃｅｌｌ  Ｌａｙｅｒ）又はスモールセル層（Ｓｍａｌｌ  Ｃｅｌｌ  Ｌａｙｅｒ）に同時的な接続性を有する形態の二重接続性（Ｄｕａｌ  Ｃｏｎｎｅｃｔｉｖｉｔｙ）の概念を適用している。
【０００６】
一方、マクロセルと低電力／近距離通信のためのピコセル、フェムトセルなどの様々な形態のスモールセルらが混在している異種網（ｈｅｔｅｒｏｇｅｎｅｏｕｓ  ｎｅｔｗｏｒｋ  ｄｅｐｌｏｙｍｅｎｔ）環境において、任意の端末は、スループット（ｔｈｒｏｕｇｈｐｕｔ）性能向上及び移動性向上（ｍｏｂｉｌｉｔｙ  ｅｎｈａｎｃｅｍｅｎｔ）のために、マクロセルの他、スモールセルにも同時に接続して二重接続（ｄｕａｌ  ｃｏｎｎｅｃｔｉｖｉｔｙ）状態とすることができる。
【０００７】
二重接続端末が移動をする場合にはスモールセルの交換（ｃｈａｎｇｅ）、除去（Ｒｅｍｏｖｅ）、追加（Ａｄｄ）などのようなイベントが頻繁に発生しうることから、無線リソース制御（再）設定メッセージ（Ｒａｄｉｏ  Ｒｅｓｏｕｒｃｅ  Ｃｏｎｔｒｏｌ  （ｒｅ）−ｃｏｎｆｉｇｕｒａｔｉｏｎ  ｍｅｓｓａｇｅ）の送信も頻繁に発生しうる。
【０００８】
また、任意の端末がスモールセルに無線リソース制御接続（ＲＲＣ  ｃｏｎｎｅｃｔｉｏｎ）を行うために上りリンク同期化（Ｕｐｌｉｎｋ  Ｓｙｎｃｈｒｏｎｉｚａｔｉｏｎ；ＵＬ  ｓｙｎｃｈｒｏｎｉｚａｔｉｏｎ）を行う場合、仮に既存のセルと異なるｓＴＡＧ（Ｓｅｃｏｎｄａｒｙ  Ｔｉｍｉｎｇ  Ａｄｖａｎｃｅ  Ｇｒｏｕｐ）に属するとき（例えば、インターバンド（ｉｎｔｅｒ  ｂａｎｄ）を用いるときなど）にはランダムアクセス手順（Ｒａｎｄｏｍ  Ａｃｃｅｓｓ  Ｐｒｏｃｅｄｕｒｅ）をさらに行うようになる。
【０００９】
また、例えば、異種網環境、又はスモールセルのみ存在し、マクロセルは存在しない環境において、任意の端末は特定スモールセルからサービス提供（ｓｅｒｖｉｎｇ）を受けることができる。
【００１０】
二重接続端末が移動をする場合、スモールセル間のハンドオーバー手順のイベントが頻繁に行われ得るが、このようなハンドオーバー手順においても上りリンク同期化のためにランダムアクセス手順（Ｒａｎｄｏｍ  Ａｃｃｅｓｓ  Ｐｒｏｃｅｄｕｒｅ）を行うことができる。また、ハンドオーバー手順を行う場合、特定スモールセルからサービス提供を受けるセル（或いは、ＣＣ（ｃｏｍｐｏｎｅｎｔ  ｅｌｅｍｅｎｔ））がマクロセル（又は、Ｐｃｅｌｌ）と異なるｓＴＡＧに属する場合（例えば、インターバンドを用いる場合など）、ランダムアクセス手順（Ｒａｎｄｏｍ  Ａｃｃｅｓｓ  Ｐｒｏｃｅｄｕｒｅ）をさらに行うようになる。
【００１１】
上述の過程において端末が上りリンク同期化を行うためには、それぞれの端末が独立してランダムアクセス手順を行うようになることから、ランダムアクセス手順の実行が頻繁に発生しうる。
【００１２】
このため、頻繁なランダムアクセス手順を行う基地局と端末にとっては負担が増えるという問題点があり、これにより、上りリンク同期化を取る過程で頻繁な遅延（ｄｅｌａｙ）も発生するという問題点があった。そこで、このような問題点の解決及びその方案が望まれている。
【発明の概要】
【発明が解決しようとする課題】
【００１３】
本発明は、上述した従来の不具合を解決するために案出されたものであり、その目的は、無線通信システムにおいて基地局が端末の同期化のための情報を送信する方法を提供することにある。
【００１４】
本発明の他の目的は、端末別に行われる上りリンク同期化（（ＵＬ  ｓｙｎｃｈｒｏｎｉｚａｔｉｏｎ）獲得過程を基地局が行う方法を提供することにある。
【００１５】
本発明の更に他の目的は、基地局から上りリンク同期化情報を取得して端末が速いハンドオーバー（Ｆａｓｔ  Ｈａｎｄｏｖｅｒ）のためのランダムアクセス手順を行う方法を提供することにある。
【００１６】
本発明の更に他の目的は、基地局から上りリンク同期化情報を取得して端末がスモールセルへの追加接続を行う方法を提供することにある。
【００１７】
本発明の更に他の目的は、上述の方法を支援する装置を提供することにある。
【００１８】
本発明で遂げようとする技術的課題は、以上に言及している技術的課題に制限されず、言及していない他の技術的課題は、以下の記載から、本発明の属する技術の分野における通常の知識を有する者にとって明らかであろう。
【課題を解決するための手段】
【００１９】
上述した目的を達成するための本発明である無線通信システムにおいて基地局が上りリンク同期化のための情報を送信する方法は、
【００２０】
ソース基地局が、あらかじめ定められた基準によって、上りリンク同期化情報を要請する要請メッセージをターゲット基地局に送信し、前記ターゲット基地局から、前記要請メッセージに対する応答として、前記同期化情報が含まれた応答メッセージを受信し、前記受信された同期化情報を、前記ターゲット基地局によってサービスされるセルに移動する一つ以上の端末に送信し、前記同期化情報は、前記端末が前記同期化情報取得手順無しで前記ターゲット基地局によってサービスされるセルに移動するときに用いられる。
【００２１】
本発明の無線通信システムで基地局が上りリンク同期化のための情報を送信する方法において、前記ソース基地局は、前記ターゲット基地局との距離が一定であり、マクロ基地局に比べてカバレッジが小さい固定型の小型基地局であってもよい。
【００２２】
本発明の無線通信システムで基地局が上りリンク同期化のための情報を送信する方法において、前記同期化情報は、前記ソース基地局と前記ターゲット基地局間のＴＡ値を含む情報であってもよい。
【００２３】
本発明の無線通信システムで基地局が上りリンク同期化のための情報を送信する方法において、前記あらかじめ定められた基準は、前記ソース基地局が前記端末から前記ターゲット基地局測定情報（Ｍｅａｓｕｒｅｍｅｎｔ  Ｉｎｆｏｒｍａｔｉｏｎ）を受信し、前記ソース基地局が前記ソース基地局と前記ターゲット基地局間のＴＡ値が分からない場合であってもよい。
【００２４】
本発明の無線通信システムで基地局が上りリンク同期化のための情報を送信する方法において、前記応答メッセージは、前記ソース基地局と前記ターゲット基地局間のバックホール網で受信されてもよい。
【００２５】
本発明の無線通信システムで基地局が上りリンク同期化のための情報を送信する方法において、前記受信された同期化情報を前記追加基地局に送信してもよい。
【００２６】
本発明の無線通信システムで基地局が上りリンク同期化のための情報を送信する方法において、前記ソース基地局は、第１のＰＣｅｌｌ（Ｐｒｉｍａｒｙ  Ｃｅｌｌ）にサービスを提供する基地局であり、前記端末は、前記第１のＰＣｅｌｌから、前記ターゲット基地局がサービスを提供する第２のＰＣｅｌｌに移動する端末を含んでもよい。
【００２７】
本発明の無線通信システムで基地局が上りリンク同期化のための情報を送信する方法において、前記ソース基地局は、第１のＳＣｅｌｌ（Ｓｅｃｏｎｄａｒｙ  Ｃｅｌｌ）にサービスを提供する基地局であり、前記端末は、第１のＰＣｅｌｌから、前記ターゲット基地局がサービスを提供する第２のＰＣｅｌｌに移動する端末を含んでもよい。
【００２８】
本発明の無線通信システムで基地局が上りリンク同期化のための情報を送信する方法において、前記ソース基地局は、第１のＳＣｅｌｌにサービスを提供する基地局であり、前記端末は、第１のＳＣｅｌｌに、前記ターゲット基地局がサービスを提供する第２のＳＣｅｌｌを追加する端末を含んでもよい。
【００２９】
上述した目的を達成するための本発明の無線接続ネットワーク環境で端末が通信を行う方法は、ターゲット基地局によってサービスされるセルに移動するための要請メッセージをソース基地局に送信し、前記ソース基地局から前記ターゲット基地局との上りリンク同期化のための情報を受信し、前記上りリンク同期化情報取得手順無しで、前記ターゲット基地局によってサービスされるセルに移動する手順を行う。
【００３０】
上述した目的を達成するための本発明の無線通信システムにおいて通信を行う端末は、送信部と、受信部と、前記送信部及び受信部と接続されて前記端末の通信を支援するプロセッサとを備え、前記プロセッサは、ターゲット基地局によってサービスされるセルに移動するための要請メッセージをソース基地局に送信し、前記ソース基地局から前記ターゲット基地局との上りリンク同期化のための情報を受信し、前記上りリンク同期化情報取得手順無しで、前記ターゲット基地局によってサービスされるセルに移動する手順を行うように制御する。
【００３１】
上述した目的を達成するための本発明の無線通信システムにおいて端末の上りリンク同期化のための情報を送信する装置は、送信部と、受信部と、前記送信部及び受信部と接続されて前記装置の通信を支援するプロセッサとを備え、前記プロセッサは、あらかじめ定められた基準によって、同期化情報を要請する要請メッセージを、前記端末がハンドオーバーを行うターゲット基地局に送信し、前記ターゲット基地局から、前記要請メッセージに対する応答として、前記同期化情報が含まれた応答メッセージを受信し、前記受信された同期化情報を、前記ターゲット基地局によってサービスされるセルに移動する一つ以上の端末に送信するように制御し、前記同期化情報は、前記端末が前記同期化情報取得手順無しで、前記ターゲット基地局によってサービスされるセルに移動するときに用いられる。
【００３２】
本発明の装置において、前記同期化情報は、前記装置と前記ターゲット基地局間のＴＡ値を含む情報であってもよい。
【００３３】
本発明の装置において、前記あらかじめ定められた基準は、前記受信部が前記端末から前記ターゲット基地局測定情報を受信し、前記プロセッサが前記ソース基地局と前記ターゲット基地局間のＴＡ値が分からない場合であってもよい。
【００３４】
本発明の装置において、前記あらかじめ定められた基準は、前記ターゲット基地局にハンドオーバーを行うための端末の個数が、あらかじめ定められた所定個数以上である場合であってもよい。
【００３５】
本発明の装置において、前記あらかじめ定められた基準は、前記端末が前記装置及び追加基地局に同時に接続している状況で、前記受信部が前記追加基地局からＴＡ情報要請メッセージを受信し、前記プロセッサが前記装置と前記ターゲット基地局間のＴＡ値が分からない場合であってもよい。
【００３６】
本発明の装置において、タイマーをさらに備え、前記あらかじめ定められた基準は、前記タイマーの設定時間が満了する場合であってもよい。
本明細書は、例えば、以下の項目も提供する。
（項目１）
無線通信システムにおいて基地局が上りリンク同期化のための情報を送信する方法であって、
ソース基地局が、あらかじめ定められた基準によって、上りリンク同期化情報を要請する要請メッセージをターゲット基地局に送信し、
前記ターゲット基地局から、前記要請メッセージに対する応答として、前記同期化情報が含まれた応答メッセージを受信し、
前記受信された同期化情報を、前記ターゲット基地局によってサービスされるセルに移動する一つ以上の端末に送信し、
前記同期化情報は、前記端末が前記同期化情報取得手順無しで、前記ターゲット基地局によってサービスされるセルに移動するときに用いられることを特徴とする、基地局が端末の同期化のための情報を送信する方法。
（項目２）
前記ソース基地局は、前記ターゲット基地局との距離が一定であり、マクロ基地局に比べてカバレッジが小さい固定型の小型基地局であることを特徴とする、項目１に記載の基地局が端末の同期化のための情報を送信する方法。
（項目３）
前記同期化情報は、前記ソース基地局と前記ターゲット基地局間のＴＡ（Ｔｉｍｉｎｇ  Ａｄｖａｎｃｅ）値を含む情報であることを特徴とする、項目１に記載の基地局が端末の同期化のための情報を送信する方法。
（項目４）
前記あらかじめ定められた基準は、
前記ソース基地局が前記端末から前記ターゲット基地局測定情報（Ｍｅａｓｕｒｅｍｅｎｔ  Ｉｎｆｏｒｍａｔｉｏｎ）を受信し、
前記ソース基地局が前記ソース基地局と前記ターゲット基地局間のＴＡ値が分からない場合であることを特徴とする、項目１に記載の基地局が端末の同期化のための情報を送信する方法。
（項目５）
前記あらかじめ定められた基準は、
前記ターゲット基地局にハンドオーバーを行うための端末の個数が、あらかじめ定められた所定個数以上である場合であることを特徴とする、項目１に記載の基地局が端末の同期化のための情報を送信する方法。
（項目６）
前記あらかじめ定められた基準は、
前記端末が前記ソース基地局他及び追加基地局に同時に接続している状況で、前記ソース基地局が前記追加基地局からＴＡ情報要請（Ｔｉｍｉｎｇ  Ａｄｖａｎｃｅ  Ｉｎｆｏｒｍａｔｉｏｎ  Ｒｅｑｕｅｓｔ）メッセージを受信し、
前記ソース基地局が前記ソース基地局と前記ターゲット基地局間のＴＡ値が分からない場合であることを特徴とする、項目１に記載の基地局が端末の同期化のための情報を送信する方法。
（項目７）
前記あらかじめ定められた基準は、
前記ソース基地局に備えられるタイマーの設定時間が満了する場合であることを特徴とする、項目１に基地局が端末の同期化のための情報を送信する記載の方法。
（項目８）
前記応答メッセージは、前記ソース基地局と前記ターゲット基地局間のバックホール網を介して受信されることを特徴とする、項目１に記載の基地局が端末の同期化のための情報を送信する方法。
（項目９）
前記受信された同期化情報を前記追加基地局に送信することを特徴とする、項目６に記載の基地局が端末の同期化のための情報を送信する方法。
（項目１０）
前記ソース基地局は、第１のＰＣｅｌｌ（Ｐｒｉｍａｒｙ  Ｃｅｌｌ）にサービスを提供する基地局であり、
前記端末は、前記第１のＰＣｅｌｌから、前記ターゲット基地局がサービスを提供する第２のＰＣｅｌｌに移動する端末を含むことを特徴とする、項目１に記載の基地局が端末の同期化のための情報を送信する方法。
（項目１１）
前記ソース基地局は、第１のＳＣｅｌｌ（Ｓｅｃｏｎｄａｒｙ  Ｃｅｌｌ）にサービスを提供する基地局であり、
前記端末は、第１のＰＣｅｌｌから、前記ターゲット基地局がサービスを提供する第２のＰＣｅｌｌに移動する端末を含むことを特徴とする、項目１に記載の基地局が端末の同期化のための情報を送信する方法。
（項目１２）
前記ソース基地局は、第１のＳＣｅｌｌにサービスを提供する基地局であり、
前記端末は、第１のＳＣｅｌｌに、前記ターゲット基地局がサービスを提供する第２のＳＣｅｌｌを追加する端末を含むことを特徴とする、項目１に記載の基地局が端末の同期化のための情報を送信する方法。
（項目１３）
無線接続ネットワーク環境において端末が通信を行う方法であって、
ターゲット基地局によってサービスされるセルに移動するための要請メッセージをソース基地局に送信し、
前記ソース基地局から前記ターゲット基地局との上りリンク同期化のための情報を受信し、
前記上りリンク同期化情報取得手順無しで、前記ターゲット基地局によってサービスされるセルに移動する手順を行う、端末の通信方法。
（項目１４）
無線通信システムにおいて通信を行う端末であって、
送信部と、
受信部と、
前記送信部及び受信部と接続されて前記端末の通信を支援するプロセッサと、を備え、
前記プロセッサは、
ターゲット基地局によってサービスされるセルに移動するための要請メッセージをソース基地局に送信し、
前記ソース基地局から前記ターゲット基地局との上りリンク同期化のための情報を受信し、
前記上りリンク同期化情報取得手順無しで、前記ターゲット基地局によってサービスされるセルに移動する手順を行うように制御する、端末。
（項目１５）
無線通信システムにおいて端末の上りリンク同期化のための情報を送信する装置であって、
送信部と、
受信部と、
前記送信部及び受信部と接続されて前記装置の通信を支援するプロセッサと、
を備え、
前記プロセッサは、
あらかじめ定められた基準によって、同期化情報を要請する要請メッセージを、前記端末がハンドオーバーを行うターゲット基地局に送信し、
前記ターゲット基地局から、前記要請メッセージに対する応答として、前記同期化情報が含まれた応答メッセージを受信し、
前記受信された同期化情報を、前記ターゲット基地局によってサービスされるセルに移動する一つ以上の端末に送信するように制御し、
前記同期化情報は、前記端末が前記同期化情報取得手順無しで、前記ターゲット基地局によってサービスされるセルに移動するときに用いられることを特徴とする、装置。
（項目１６）
前記同期化情報は、前記装置と前記ターゲット基地局間のＴＡ値を含む情報であることを特徴とする、項目１５に記載の装置。
（項目１７）
前記あらかじめ定められた基準は、
前記受信部が前記端末から前記ターゲット基地局測定情報を受信し、
前記プロセッサが前記ソース基地局と前記ターゲット基地局間のＴＡ値が分からない場合であることを特徴とする、項目１５に記載の装置。
（項目１８）
前記あらかじめ定められた基準は、
前記ターゲット基地局にハンドオーバーを行うための端末の個数が、あらかじめ定められた所定個数以上である場合であることを特徴とする、項目１５に記載の装置。
（項目１９）
前記あらかじめ定められた基準は、
前記端末が前記装置及び追加基地局に同時に接続している状況で、前記受信部が前記追加基地局からＴＡ情報要請メッセージを受信し、
前記プロセッサが前記装置と前記ターゲット基地局間のＴＡ値が分からない場合であることを特徴とする、項目１５に記載の装置。
（項目２０）
タイマーをさらに備え、
前記あらかじめ定められた基準は、前記タイマーの設定時間が満了する場合であることを特徴とする、項目１５に記載の装置。
【発明の効果】
【００３７】
本発明によれば、無線通信システムにおいて基地局が端末の同期化のための情報を送信することが可能になる。
【００３８】
また、本発明によれば、端末別に行われる上りリンク同期化獲得過程を基地局で行うことが可能になる。
【００３９】
また、本発明によれば、基地局から上りリンク同期化情報を取得して端末が速いハンドオーバーのためのランダムアクセス手順を行うことが可能になる。
【００４０】
また、本発明によれば、基地局から上りリンク同期化情報を取得して端末がスモールセルへの追加接続を行うことが可能になる。
【００４１】
本発明の実施例から得られる効果は、以上で言及した効果に制限されず、言及していない他の効果は、以下の本発明の実施例に関する記載から、本発明の属する技術の分野における通常の知識を有する者に明確に導出されて理解されるであろう。すなわち、本発明の実施による意図しない効果も、本発明の実施例から、当該技術の分野における通常の知識を有する者には導出されるであろう。
【図面の簡単な説明】
【００４２】
以下に添付される図面は、本発明に関する理解を助けるためのものであり、詳細な説明と共に本発明に関する実施例を提供する。ただし、本発明の技術的特徴が特定図面に限定されることはなく、各図に開示される特徴を組み合わせて新しい実施例として構成することができる。各図における参照符号は構造的構成要素（ｓｔｒｕｃｔｕｒａｌ  ｅｌｅｍｅｎｔｓ）を意味する。
【００４３】
【図１】図１は、本発明を適用し得る一般的な無線接続ネットワークシステムを例示する図である。
【００４４】
【図２】図２は、本発明を適用し得る異種ネットワーク環境を示す図である。
【００４５】
【図３】図３は、本発明で用い得るキャリア結合（Ｃａｒｒｉｅｒ  Ａｇｇｒｅｇａｔｉｏｎ；ＣＡ）を説明するための図である。
【００４６】
【図４】図４は、本発明で用い得るキャリア結合が適用されるＬＴＥ−Ａ（Ｌｏｎｇ  Ｔｅｒｍ  Ｅｖｏｌｕｔｉｏｎ−Ａｄｖａｎｃｅｄ）システムにおいてサブフレームの構造を示す図である。
【００４７】
【図５】図５は、本発明で用い得る３ＧＰＰ  ＬＴＥ（３ｒｄ  Ｇｅｎｅｎｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）システムに用いられる物理チャネル及びこれらのチャネルを用いた一般的な信号送信方法を説明するための図である。
【００４８】
【図６】図６は、本発明で用い得る競合ベースランダムアクセス手順（Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を示す図である。
【００４９】
【図７】図７は、本発明で用い得る非競合ベースランダムアクセス手順（Ｎｏｎ−Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を示す図である。
【００５０】
【図８】図８は、本発明で用い得る二重接続の概念を説明するための図である。
【００５１】
【図９】図９は、端末のセル間ハンドオーバー過程において本発明を適用し得るシナリオを説明するための図である。
【００５２】
【図１０】図１０は、二重接続端末のマクロセル間ハンドオーバー過程において本発明を適用し得るシナリオを説明するための図である。
【００５３】
【図１１】図１１は、二重接続端末のスモールセル追加過程において本発明を適用し得るシナリオを説明するための図である。
【００５４】
【図１２】図１２は、本発明の一実施例によって端末がランダムアクセス手順を行うために必要な情報をサービング基地局が他の基地局から受信する過程を説明するための図である。
【００５５】
【図１３】図１３は、本発明の一実施例によって端末がランダムアクセス手順を行うために必要な情報をサービング基地局が他の基地局から受信する過程を説明するための図である。
【００５６】
【図１４】図１４は、本発明の一実施例によって端末がランダムアクセス手順を行うために必要な情報をサービング基地局が他の基地局から受信する過程を説明するための図である。
【００５７】
【図１５】図１５は、本発明の一実施例によって端末がランダムアクセス手順を行うために必要な情報をサービング基地局が他の基地局から受信する過程を説明するための図である。
【００５８】
【図１６】図１６は、本発明の一実施例によって端末がランダムアクセス手順を行うために必要な情報をサービング基地局が他の基地局から受信する過程を説明するための図である。
【００５９】
【図１７】図１７は、本発明の一実施例によって端末がランダムアクセス手順を行うために必要な情報をサービング基地局が他の基地局から受信する過程を説明するための図である。
【００６０】
【図１８】図１８は、本発明の一実施例によって端末がランダムアクセス手順を行う過程を説明するための図である。
【００６１】
【図１９】図１９は、本発明の一実施例によって端末がランダムアクセス手順を行う過程を説明するための図である。
【００６２】
【図２０】図２０は、本発明の一実施例によって端末がランダムアクセス手順を行う過程を説明するための図である。
【００６３】
【図２１】図２１は、本発明の一実施例によって二重接続端末がスモールセルを追加する過程を説明するための図である。
【００６４】
【図２２】図２２は、本発明の一実施例によって二重接続端末がスモールセルを追加する過程を説明するための図である。
【００６５】
【図２３】図２３は、本発明の一実施例によって二重接続端末がスモールセルを追加する過程を説明するための図である。
【００６６】
【図２４】図２４は、本発明の一実施例によって二重接続端末がスモールセルを追加する過程を説明するための図である。
【００６７】
【図２５】図２５は、本発明の一実施例によって二重接続端末がスモールセルを追加する過程を説明するための図である。
【００６８】
【図２６】図２６は、本発明の一実施例に係る無線通信システムにおいて基地局から同期化のための情報を受信する端末のブロック構成図である。
【発明を実施するための形態】
【００６９】
以下、本発明に係る好適な実施の形態を、添付の図面を参照して詳しく説明する。添付の図面と共に以下に開示する詳細な説明は、本発明の例示的な実施の形態を説明するためのもので、本発明を実施し得る唯一の実施の形態を示すためのものではない。
【００７０】
以下の詳細な説明は、本発明の完全な理解を提供するために具体的な細部事項を含む。通常の技術者にとって、本発明をこのような具体的な細部事項なしにも実施できることは明らかである。
【００７１】
いくつかの場合、本発明の概念が曖昧になることを避けるために、公知の構造及び装置を省略したり、各構造及び装置の核心機能を中心にしたブロック図の形式で図示してもよい。
【００７２】
明細書全体を通じて、ある部分がある構成要素を“含む（又は、備える）”としたとき、これは、別に記載がない限り、他の構成要素を除外するのではなく、他の構成要素をさらに含んでもよいということを意味する。
【００７３】
また、明細書に記載された「…部」という用語は、少なくとも一つの機能や動作を処理する単位を意味し、これは、ハードウェア、ソフトウェア、又はハードウェア及びソフトウェアの結合によって具現することができる。なお、「１つ（ａ又はａｎ）」、「１つ（ｏｎｅ）」、及び類似関連文句は、本発明を記述する文脈において本明細書に別に指示されていたり文脈によって明らかに反駁されない限り、単数及び複数の両方を含む意味で使われてもよい。
【００７４】
なお、本発明の実施例で使われる特定用語は、本発明の理解を助けるために提供されたものであり、別に定義されない限り、技術的又は科学的な用語を含めて、ここで使われる全ての用語は、本発明の属する技術の分野における通常の知識を有する者にとって一般に理解されるのと同じ意味を有する。このような特定用語の使用は、本発明の技術的思想から逸脱しない範囲で他の形態に変更されてもよい。
【００７５】
明細書の全体において第１、第２などの用語を様々な構成要素を説明するために使うことができる。ただし、これらの構成要素は上記の用語によって限定されてはならず、これらの用語は、一つの構成要素を他の構成要素と区別する目的にのみ使用する。例えば、本発明の権利範囲内で第１構成要素を第２構成要素と命名してもよく、同様に第２構成要素を第１構成要素と命名してもよい。
【００７６】
以下、本発明に係る好適な実施の形態を、添付の図面を参照して詳細に説明する。添付の図面と共に以下に開示する詳細な説明は、本発明の例示的な実施の形態を説明するためのもので、本発明を実施し得る唯一の実施の形態を示すためのものではない。
【００７７】
図１は、本発明を適用し得る一般的な無線接続ネットワークシステムを例示する図である。
【００７８】
図１は、本発明を適用し得る一般的な無線接続ネットワークシステムであり、基地局（Ｂａｓｅ  Ｓｔａｔｉｏｎ；ＢＳ）１１０と一つ以上のユーザ装置（Ｕｓｅｒ  Ｅｑｕｉｐｍｅｎｔ；ＵＥ）１００ａ，１００ｂを含むことができる。
【００７９】
本発明において、基地局１１０はユーザ装置１００ａ，１００ｂと直接的に通信するネットワークの終端ノード（ｔｅｒｍｉｎａｌ  ｎｏｄｅ）としての意味を有する。また、本発明において基地局１１０によって行われると説明された特定動作は、場合によって、基地局の上位ノード（ｕｐｐｅｒ  ｎｏｄｅ）によって行われてもよい。
【００８０】
すなわち、基地局１１０を含む複数のネットワークノード（ｎｅｔｗｏｒｋ  ｎｏｄｅｓ）で構成されるネットワークにおいてユーザ装置との通信のために行われる様々な動作は、基地局又は基地局以外の他のネットワークノードによって行われることは自明である。
【００８１】
本発明において、基地局１１０は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語にしてもよい。
【００８２】
また、ユーザ装置１００ａ，１００ｂは、端末（Ｔｅｒｍｉｎａｌ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ装置（Ｄｅｖｉｃｅ−ｔｏ−Ｄｅｖｉｃｅ）などの用語にしてもよい。
【００８３】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つにおいて実現するすることができ、それらの少なくとも一つを開示の標準文書によって裏付けることができる。
【００８４】
また、以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。
【００８５】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができ、ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。
【００８６】
また、ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができ、ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化を意味する。
【００８７】
図２は、本発明を適用し得る異種ネットワーク環境を示す図である。
【００８８】
上述したように、次世代無線接続ネットワークでは、マルチメディアなどのデータサービスをより安定的に保障するために、マクロセルベースの同種網と併せて低電力／近距離通信のためのスモールセル（例えば、ピコセル又はフェムトセル）が混在する階層的セル構造或いは異種セル構造への関心が高まっている。マクロセル基地局の追加設置は、システム性能の向上を考慮するとき、費用及び複雑度の側面において非効率的であるためである。
【００８９】
一方、無線接続ネットワークで考慮される異種網の構造は、図２に示す形態とすることができる。一つのマクロセル中には複数のスモールセルが共存し、各スモールセル基地局は、セル指定（ｃｅｌｌ  ｃｏｏｒｄｉｎａｔｉｏｎ）方式でリソースの割り当てを受けて端末をサービスする。
【００９０】
これらのスモールセルは、アクセス（Ａｃｃｅｓｓ）方式によって、次の２種類に区別することができる。
【００９１】
その第一はＣＳＧ（Ｃｌｏｓｅｄ  Ｓｕｂｓｃｒｉｂｅｒ  Ｇｒｏｕｐ）であり、その第二はＯＳＧ（Ｏｐｅｎ  Ａｃｃｅｓｓ  Ｓｕｂｓｃｒｉｂｅｒ  Ｇｒｏｕｐ）である。ＣＳＧは、自身に接近してもよい端末をグルーピングしてＣＳＧ  ＩＤ（Ｉｄｅｎｔｉｆｉｃａｔｉｏｎ）を与え、ＣＳＧ  ＩＤを有する端末とそうでない端末がＣＳＧにアクセスしたときに差別を与えることができる。すなわち、認証無しではアクセスを許容しない。一方、ＯＳＧは、全ての端末が認証無しで接続できるセルを意味する。
【００９２】
図３は、本発明で用い得るキャリア結合（Ｃａｒｒｉｅｒ  Ａｇｇｒｅｇａｔｉｏｎ；ＣＡ）を説明するための図である。
【００９３】
図３では、一つ以上のコンポーネントキャリア（Ｃｏｍｐｏｎｅｎｔ  Ｃａｒｒｉｅｒ）を結合したキャリア結合を示している。
【００９４】
キャリア結合はＬＴＥ−Ａの代表的な技術であり、まずはＬＴＥとＬＴＥ−Ａについて説明する。
【００９５】
ＬＴＥシステムは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）から進化した移動通信システムであり、国際標準化機構である３ＧＰＰ（３ｒｄ  Ｇｅｎｅｒａｔｉｏｎ  Ｐａｒｔｎｅｒｓｈｉｐ  Ｐｒｏｊｅｃｔ）で標準が制定された。
【００９６】
ＬＴＥシステム構造は、大きく、Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）とＥＰＣ（Ｅｖｏｌｖｅｄ  Ｐａｃｋｅｔ  Ｃｏｒｅ）を含むことができる。Ｅ−ＵＴＲＡＮは、端末（ＵＥ）と基地局（ｅＮＢ）で構成され、ＵＥ−ｅＮＢの間をＵｕインターフェース、ｅＮＢ−ｅＮＢの間をＸ２インターフェースと呼ぶ。ＥＰＣは、制御プレーン（Ｃｏｎｔｒｏｌ−Ｐｌａｎｅ）機能を担当するＭＭＥ（Ｍｏｂｉｌｉｔｙ  Ｍａｎａｇｅｍｅｎｔ  Ｅｎｔｉｔｙ）とユーザプレーン（Ｕｓｅｒ−Ｐｌａｎｅ）機能を担当するＳ−ＧＷ（Ｓｅｒｖｉｎｇ  Ｇａｔｅｗａｙ）で構成され、ｅＮＢ−ＭＭＥの間をＳ１−ＭＭＥインターフェース、ｅＮＢ−Ｓ−ＧＷの間をＳ１−Ｕインターフェースと呼び、両者を総称してＳ１インターフェースとも呼ぶ。
【００９７】
ＬＴＥ−Ａ（Ｌｏｎｇ  Ｔｅｒｍ  Ｅｖｏｌｕｔｉｏｎ  Ａｄａｖａｎｃｅｄ）システムは、ＬＴＥシステムをＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎ  ｓｅｃｔｏｒ、国際電気通信連合−無線通信部分）で勧告する４世帯移動通信条件であるＩＭＴ−Ａｄｖａｎｃｅｄ条件に合わせて発展させたシステムであり、現在、ＬＴＥシステム標準を開発した３ＧＰＰではＬＴＥ−Ａシステム標準の開発が盛んである。
【００９８】
ＬＴＥ−Ａシステムで新しく追加される代表的な技術としては、使用帯域幅を拡張して柔軟（ｆｌｅｘｉｂｌｅ）に使用できるようにするキャリア結合（ＣＡ）技術を挙げることができる。
【００９９】
キャリア結合（ＣＡ）とは、既存ＬＴＥシステムで有し得るキャリア（Ｃａｒｒｉｅｒ）をコンポーネントキャリア（Ｃｏｍｐｏｎｅｎｔ  Ｃａｒｒｉｅｒ）と定義し、このようなコンポーネントキャリアを、図３に示すように最大５個まで束ねて用いることができる技術を意味する。コンポーネントキャリアとしては、ＬＴＥシステムのように最大２０ＭＨｚの帯域幅を有することができるので、ＬＴＥ−Ａのキャリア結合（ＣＡ）技術は、最大１００ＭＨｚまで帯域幅を拡張できる概念である。このように複数個のコンポーネントキャリア（ＣＡ）を束ねて用いる技術をキャリア結合（ＣＡ）と呼ぶ。
【０１００】
図４は、本発明で用い得るキャリア結合が適用されるＬＴＥ−Ａシステムにおいてサブフレームの構造を示す図である。
【０１０１】
図４を参照すると、図４（ａ）は、１個のコンポーネントキャリアを用いる単一コンポーネントキャリア（Ｓｉｎｇｌｅ  Ｃｏｍｐｏｎｅｎｔ  Ｃａｒｒｉｅｒ）状態での上りリンク及び下りリンクのサブフレーム構造を示しており、この場合、既存ＬＴＥシステムと同様に２０ＭＨｚの帯域幅を有する。
【０１０２】
また、図４（ｂ）は、複数のコンポーネントキャリアを用いるマルチプルコンポーネントキャリア（Ｍｕｌｔｉｐｌｅ  Ｃｏｍｐｏｎｅｎｔ  Ｃａｒｒｉｅｒ）状態での上りリンク及び下りリンクのサブフレーム構造を示している。図４（ｂ）では３個のコンポーネントキャリアを束ねてキャリア結合を行っているので、帯域幅は６０ＭＨｚになっている。
【０１０３】
一般的な無線通信システムでは、上りリンクと下りリンク間の帯域幅は異なるように設定されても、主に１つのコンポーネントキャリアのみを考慮している。３ＧＰＰ  ＬＴＥにおいても、図４（ａ）に示すように、単一コンポーネントキャリアを基にして、上りリンクと下りリンクを構成するコンポーネントキャリアの数がそれぞれ１個であり、上りリンクの帯域幅と下りリンクの帯域幅とが一般に対称となる。
【０１０４】
一方、３ＧＰＰ  ＬＴＥシステムは、下りリンクと上りリンクに対してそれぞれ１つのコンポーネントキャリアが定義されている状況下で、下りリンクの帯域幅と上りリンクの帯域幅とが同じであるか又は異なる場合に対してのみ支援されるシステムを意味する。例えば、ＧＰＰ  ＬＴＥシステムは、最大２０ＭＨｚを支援し、上りリンク帯域幅と下りリンク帯域幅とが異なってもよいが、上りリンクと下りリンクに１つのコンポーネントキャリアのみを支援する。
【０１０５】
これに対し、キャリア結合は、複数のコンポーネントキャリアを支援する。キャリア結合は、増加する収率（ｔｈｒｏｕｇｈｐｕｔ）を支援し、広帯域ＲＦ（Ｒａｄｉｏ  Ｆｒｅｑｕｅｎｃｙ）素子の導入によるコスト高を防止し、既存システムとの互換性を保障するために導入される。例えば、２０ＭＨｚ帯域幅を有するコンポーネントキャリア単位のグラニュラティ（ｇｒａｎｕｌａｒｉｔｙ）として５個の搬送波が割り当てられると、最大１００ＭＨｚの帯域幅を支援することができる。
【０１０６】
キャリア結合は、周波数領域で連続したコンポーネントキャリアが結合してなる隣接（ｃｏｎｔｉｇｕｏｕｓ）キャリア結合と、不連続したコンポーネントキャリアが結合してなる非隣接（ｎｏｎ−ｃｏｎｔｉｇｕｏｕｓ）キャリア結合とに区別される。
【０１０７】
一方、下りリンクと上りリンクとの間において結合されるコンポーネントキャリアの数は互いに異なるように設定されてもよい。下りリンクコンポーネントキャリアの個数と上りリンクコンポーネントキャリアの個数とが同じ場合を対称的（ｓｙｍｍｅｔｒｉｃ）キャリア結合といい、その数が異なる場合を非対称的（ａｓｙｍｍｅｔｒｉｃ）キャリア結合という。
【０１０８】
多重搬送波のサイズ（すなわち、帯域幅）は互いに異なってもよい。例えば、図４（ｂ）のように、６０ＭＨｚ帯域の構成のために３個の搬送波が用いられる場合、２０ＭＨｚ  ｃａｒｒｉｅｒ（ｃａｒｒｉｅｒ  ＃１）＋２０ＭＨｚ  ｃａｒｒｉｅｒ（ｃａｒｒｉｅｒ  ＃２）＋２０ＭＨｚ  ｃａｒｒｉｅｒ（ｃａｒｒｉｅｒ  ＃３）のように構成されてもよい。
【０１０９】
以下、本発明では、隣接キャリア結合及び／又は非隣接キャリア結合を用いることができ、また、対称的キャリア結合又は非対称的キャリア結合のいずれをも用いることができる。
【０１１０】
図５は、本発明で用い得る３ＧＰＰ  ＬＴＥシステムに用いられる物理チャネル及びこれらのチャネルを用いた一般的な信号送信方法を説明するための図である。
【０１１１】
図５を参照すると、電源が消えた状態で電源がついたり、新しくセルに進入したりした端末は、Ｓ５０１段階で表すように、基地局と同期を取るなどの初期セル探索（Ｉｎｉｔｉａｌ  ｃｅｌｌ  ｓｅａｒｃｈ）作業を行う。そのために、端末は基地局から１次動期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次動期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【０１１２】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。一方、端末は、初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【０１１３】
初期セル探索を終えた端末は、Ｓ５０２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）及び物理下りリンク制御チャネル情報に基づく物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【０１１４】
その後、端末は基地局への接続を完了するために、段階Ｓ５０３乃至段階Ｓ５０６のようにランダムアクセス手順を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ５０３）、物理下りリンク制御チャネル及びこれに対応する物理下りリンク共有チャネルでプリアンブルに対する応答メッセージを受信することができる（Ｓ５０４）。競合ベースランダムアクセスでは、端末は追加の物理ランダムアクセスチャネル信号の送信（Ｓ５０５）を行うことができる。一方、Ｓ５０５段階に対する応答として、物理下りリンク制御チャネル信号及びこれに対応する物理下りリンク共有チャネル信号の受信（Ｓ５０６）のような衝突解決手順（Ｃｏｎｔｅｎｔｉｏｎ  Ｒｅｓｏｌｕｔｉｏｎ  Ｐｒｏｃｅｄｕｒｅ）が行われてもよい。
【０１１５】
上述したような手順を行った端末は、その後、一般的な上りリンク／下りリンク信号送信手順として、物理下りリンク制御チャネル信号及び／又は物理下りリンク共有チャネル信号の受信（Ｓ５０７）及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ５０８）を行うことができる。
【０１１６】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【０１１７】
ＬＴＥシステムにおいてＵＣＩは一般にＰＵＣＣＨで周期的に送信されるが、制御情報とトラフィックデータとが同時に送信されるべき場合にはＰＵＳＣＨで送信されてもよい。また、ネットワークの要請／指示に応じてＰＵＳＣＨでＵＣＩが非周期的に送信されてもよい。
【０１１８】
図６及び図７は、本発明で用い得る競合ベースランダムアクセス手順及び非競合ベースランダムアクセス手順をそれぞれ示す図である。
【０１１９】
図６及び図７を参照すると、図６では競合ベースランダムアクセス手順を、図７では非競合ベースランダムアクセス手順を示している。このように、ランダムアクセス手順は、競合ベースランダムアクセス手順と非競合ベースランダムアクセス手順とに分類できる。
【０１２０】
競合ベースランダムアクセス手順は、端末１００が基地局２００との接続のために送信するランダムアクセスチャネルプリアンブル（Ｒａｎｄｏｍ  Ａｃｃｅｓｓ  Ｃｈａｎｎｅｌ  Ｐｒｅａｍｂｌｅ）を任意に（Ｒａｎｄｏｍｌｙ）選択する。
【０１２１】
これによって、複数の端末が同じ時点に同じランダムアクセスプリアンブルを選択して基地局に送信することが可能であり、このため、後で競合解消過程（Ｃｏｎｔｅｎｔｉｏｎ  Ｒｅｓｏｌｕｔｉｏｎ）が必要となる。
【０１２２】
これに対し、図７に示すように、非競合ベースランダムアクセス手順では、基地局２００が端末１００に固有に割り当てたランダムアクセスプリアンブルを用いてランダムアクセス手順を行うので、端末１００は他の端末と衝突することなくランダムアクセス手順を行うことができる。
【０１２３】
すなわち、競合ベースランダムアクセス手順と非競合ベースランダムアクセス手順との最大の差異点は、ランダムアクセスプリアンブルが一つの端末に専用（ｄｅｄｉｃａｔｅｄ）に指定されるか否かにあるといえる。
【０１２４】
非競合ベースランダムアクセス手順では、端末が自身にのみ指定された専用ランダムアクセスプリアンブルを使用することから、他の端末との競合（又は衝突）が発生しないが、競合ベースランダムアクセスでは、１つ以上のランダムアクセスプリアンブルの中から端末が任意に選択したランダムアクセスプリアンブルを使用するので、競合が発生しうる。
【０１２５】
ここでいう競合とは、２個以上の端末が同じリソースで同じランダムアクセスプリアンブルを用いてランダムアクセス手順を試みることを意味する。
【０１２６】
再び図６を参照して、競合ベースランダムアクセス手順において端末と基地局の動作過程をより詳しく説明する。
【０１２７】
（１）第１メッセージ送信（Ｓ６０１）
【０１２８】
まず、端末は、システム情報又はハンドオーバー命令（Ｈａｎｄｏｖｅｒ  Ｃｏｍｍａｎｄ）によって指示するランダムアクセスプリアンブルの集合から任意に一つのランダムアクセスプリアンブルを選択し、該ランダムアクセスプリアンブルを送信できるＰＲＡＣＨリソースを選択して送信することができる（Ｓ６０１）。
【０１２９】
（２）第２メッセージ受信（Ｓ６０２）
【０１３０】
端末は、上記の段階Ｓ６０１のようにランダムアクセスプリアンブルを送信した後、基地局がシステム情報又はハンドオーバー命令で指示したランダムアクセス応答受信ウィンドウ内で、自身のランダムアクセス応答の受信を試みる（Ｓ６０２）。
【０１３１】
さらにいうと、ランダムアクセス応答情報は、ＭＡＣ  ＰＤＵの形式で送信されてもよく、該ＭＡＣ  ＰＤＵは、ＰＤＳＣＨで伝達されてもよい。また、上記ＰＤＳＣＨで伝達される情報を車両用通信機器が確かに受信するために、端末はＰＤＣＣＨをモニタリングすることが好ましい。
【０１３２】
すなわち、ＰＤＣＣＨには、ＰＤＳＣＨを受信すべき端末の情報、ＰＤＳＣＨの無線リソースの周波数及び時間情報、そしてＰＤＳＣＨの送信形式などが含まれていることが好ましい。
【０１３３】
端末が自身に送信されるＰＤＣＣＨの受信に成功すると、ＰＤＣＣＨの情報に基づいてＰＤＳＣＨで送信されるランダムアクセス応答を確かに受信することができる。また、このランダムアクセス応答は、ランダムアクセスプリアンブル識別子（例えば、ＲＡＰＩＤ（Ｒａｎｄｏｍ  Ａｃｃｅｓｓ  Ｐｒｅａｍｂｌｅ  ＩＤｅｎｔｉｆｉｅｒ））、上りリンク無線リソースを知らせる上りリンク承認（ＵＬ  Ｇｒａｎｔ）、臨時セル識別子（Ｔｅｍｐｏｒａｒｙ  Ｃ−ＲＮＴＩ）及び時間同期補正値（Ｔｉｍｉｎｇ  Ａｄｖａｎｃｅ  Ｃｏｍｍａｎｄ：ＴＡＣ）を含むことができる。
【０１３４】
このように、ランダムアクセス応答においてランダムアクセスプリアンブル識別子が必要な理由は、一つのランダムアクセス応答には一つ以上の端末のためのランダムアクセス応答情報が含まれうるためである。すなわち、上記の上りリンク承認（ＵＬ  Ｇｒａｎｔ）、臨時セル識別子及び時間同期補正値がどの端末に有効かを知らせる必要があるためである。
【０１３５】
この段階で、端末は、段階Ｓ６０２で自身が選択したランダムアクセスプリアンブルと一致するランダムアクセスプリアンブル識別子を選択すると仮定する。これを用いて端末は上りリンク承認（ＵＬ  Ｇｒａｎｔ）、臨時セル識別子（Ｔｅｍｐｏｒａｒｙ  Ｃ−ＲＮＴＩ）及び時間同期補正値（ＴＡＣ）などを受信することができる。
【０１３６】
（３）第３メッセージ送信（Ｓ６０３）
【０１３７】
端末が自身に有効なランダムアクセス応答を受信した場合には、上記ランダムアクセス応答に含まれた情報をそれぞれ処理する。すなわち、端末はＴＡＣを適用させ、臨時セル識別子を記憶する。また、有効なランダムアクセス応答の受信に対応して送信するデータを、メッセージ３バッファーに記憶することができる。
【０１３８】
一方、端末は、受信したＵＬ承認を用いて、データ（すなわち、第３メッセージ）を基地局に送信する（Ｓ６０３）。
【０１３９】
一方、第３メッセージには端末の識別子を含めなければならない。競合ベースランダムアクセス手順では基地局は、いかなる端末が当該ランダムアクセス手順を行うかが判断できないが、後で衝突解決をするためには端末を識別する必要があるためである。
【０１４０】
端末の識別子を含める方法として２つの方法が議論されている。その一つは、端末がランダムアクセス手順を行う前に既に該当のセルから割り当てられた有効なセル識別子を有していると、端末はＵＬ承認に対応する上りリンク送信信号で自身のセル識別子を送信する方法である。もう一つは、仮にランダムアクセス手順を行う前に有効なセル識別子が割り当てられていないと、端末は自身の固有識別子（例えば、Ｓ−ＴＭＳＩ又は任意ＩＤ（Ｒａｎｄｏｍ  Ｉｄｅｎｔｉｆｉｅｒ）を含めて送信する方法である。
【０１４１】
一般に、上記の固有識別子はセル識別子よりも長い。端末は、ＵＬ承認に対応するデータを送信すると、衝突解決のためのタイマー（ｃｏｎｔｅｎｔｉｏｎ  ｒｅｓｏｌｕｔｉｏｎ  ｔｉｍｅｒ；以下、“ＣＲタイマー”）を始動する。
【０１４２】
（４）第４メッセージ受信（Ｓ６０４）
【０１４３】
端末がランダムアクセス応答に含まれたＵＬ承認を用いて、自身の識別子を含むデータを送信した後、衝突解決のために基地局の指示を待つ。すなわち、特定メッセージを受信するためにＰＤＣＣＨの受信を試みる（Ｓ６０４）。
【０１４４】
上記ＰＤＣＣＨを受信する方法としても２つの方法が議論されている。前述したように、ＵＬ承認に対応して送信された第３メッセージが自身のセル識別子を用いて送信された場合、自身のセル識別子を用いてＰＤＣＣＨの受信を試み、上記識別子が固有識別子である場合には、ランダムアクセス応答に含まれた臨時セル識別子を用いてＰＤＣＣＨの受信を試みることができる。
【０１４５】
その後、前者の場合、仮に衝突解決タイマーが満了する前に自身のセル識別子でＰＤＣＣＨを受信すると、端末は正常にランダムアクセス手順が行われたと判断し、ランダムアクセス手順を終了する。
【０１４６】
後者の場合には、衝突解決タイマーが満了する前に臨時セル識別子でＰＤＣＣＨを受信すると、ＰＤＣＣＨが示すＰＤＳＣＨが伝達するデータを確認する。仮に当該データの内容に自身の固有識別子が含まれていると、端末は正常にランダムアクセス手順が行われたと判断し、ランダムアクセス手順を終了する。
【０１４７】
一方、上述したような第３メッセージ送信及び第４メッセージ受信を用いた衝突解決手順に成功しないと、端末は、他のランダムアクセスプリアンブルを選択してランダムアクセス手順を再び開始することができる。これによって、端末は基地局から第２メッセージを受信し、衝突解決手順のために第３メッセージを構成して基地局に送信することができる。
【０１４８】
一方、図７を参照すると、非競合ベースランダムアクセス手順では、図６で説明した競合ベースランダムアクセス手順とは違い、基地局２００が端末１００に当該端末のみが唯一使用できるランダムアクセスプリアンブルを割り当てる（Ｓ７０１）。
【０１４９】
端末１００は、基地局２００がＳ７０１段階で割り当てたランダムアクセスプリアンブルを用いて、図６で説明した方法と同じ方法で決定される初期送信電力又は再送信電力でランダムアクセスプリアンブルを基地局２００に送信するランダムアクセス手順を行う（Ｓ７０２）。
【０１５０】
これによって、端末は、図６で説明した競合ベースランダムアクセス手順とは違い、他の端末との衝突無しでランダムアクセス手順を行うことができる。
【０１５１】
一方、端末１００がＳ７０２段階で送信したランダムアクセスプリアンブルに対する応答としてランダムアクセス応答メッセージを基地局２００から受信する場合、端末と基地局との接続が成立する（Ｓ７０３）。
【０１５２】
図８は、本発明で用い得る二重接続の概念を説明するための図である。
【０１５３】
図８を参照すると、マクロセル８００とスモールセル８１０，８２０との間にはキャリア結合を行っていてもよい。すなわち、マクロセルは任意のｎ個（ｎは、任意の正の整数）のキャリアを使用し、スモールセルは任意のｋ個（ｋは、任意の正の整数）のキャリアを使用することができる。このとき、マクロセルとスモールセルのキャリアは、任意の同じ周波数キャリア（ｆｒｅｑｕｅｎｃｙ  ｃａｒｒｉｅｒ）を含んでもよく、任意の異なる周波数キャリアを含んでもよい。例えば、マクロセルが任意のＦ１、Ｆ２の周波数を使用し、スモールセルが任意のＦ２、Ｆ３の周波数を使用することができる。
【０１５４】
スモールセルカバレッジ中に位置している任意の端末（ＵＥ）は、マクロセルとスモールセルに同時に接続されてもよく、マクロセルとスモールセルからサービスを同時に受けたり或いはＴＤＭ（Ｔｉｍｅ  Ｄｉｖｉｓｉｏｎ  Ｍｕｌｔｉｐｌｅｘｉｎｇ）方式で受けることができる。マクロセル層（Ｍａｃｒｏ  ｃｅｌｌ  ｌａｙｅｒ）を介しては制御プレーン（Ｃ−ｐｌａｎｅ）から提供される機能（例、接続管理（ｃｏｎｎｅｃｔｉｏｎ  ｍａｎａｇｅｍｅｎｔ）、移動性（ｍｏｂｉｌｉｔｙ））のサービスを受けることができ、ユーザプレーンデータ経路（Ｕ−ｐｌａｎｅ  ｄａｔａ  ｐａｔｈ）の場合には、マクロセル、スモールセル、又はマクロセル及びスモールセルを選択することができる。例えば、ＶｏＬＴＥ（ｖｏｉｃｅ  ｏｖｅｒ  ＬＴＥ）のように実時間データの場合には、スモールセルに比べてより移動性（ｍｏｂｉｌｉｔｙ）が保障されるマクロセルで送信／受信を受けることができ、高効率サービス（ｂｅｓｔ  ｅｆｆｅｃｔ  ｓｅｒｖｉｃｅ）の場合には、スモールセルでサービスを受けることができる。マクロセルとスモールセルとの接続はバックホール（ｂａｃｋｈａｕｌ）でなされてもよく、バックホールは、理想的（ｉｄｅａｌ  ｂａｃｋｈａｕｌ）或いは非理想的（ｎｏｎ  ｉｄｅａｌ  ｂａｃｋｈａｕｌ）であってもよい。
【０１５５】
また、マクロセルとスモールセルは、両方ともＴＤＤ或いはＦＤＤシステムで構成されてもよく、いずれか一方がＴＤＤ、他方がＦＤＤシステムとなるように構成されてもよい。
【０１５６】
図８を参照して二重接続の概念について説明する。マクロセルとスモールセルが同じ周波数帯域を使用したり或いは異なる周波数帯域を使用することができる。二重接続が設定（ｃｏｎｆｉｇｕｒａｔｉｏｎ）された任意の端末（ＵＥ）は、マクロセルとスモールセルに同時に接続することができる。図８では、ユーザプレーンデータ経路をスモールセルとして設定した場合を示す。
【０１５７】
ここでは、任意の端末（ＵＥ）がマクロセルとスモールセルに二重接続をすることについて述べたが、これは便宜のためのものであり、本発明は、セルタイプ（ｃｅｌｌ  ｔｙｐｅ）、例えば、マクロ、マイクロ、ピコ、フェムトなどによって制限されない。また、任意の二重接続端末（ＵＥ）がマクロセルをＰｃｅｌｌ（Ｐｒｉｍａｒｙ  Ｃｅｌｌ）、スモールセルをＳｃｅｌｌ（Ｓｅｃｏｎｄａｒｙ  Ｃｅｌｌ）としてキャリア結合（ＣＡ）を設定する場合を説明しているが、これは便宜のためのものであり、これと異なるように設定される場合にも本発明の適用は制限されない。
【０１５８】
図９は、端末のセル間ハンドオーバー過程において本発明を適用し得るシナリオを説明するための図である。
【０１５９】
図９を参照すると、端末（ＵＥ）が、スモールセルであるＰｃｅｌｌ  １をキャリア結合（ＣＡ）のＰｃｅｌｌ（Ｐｒｉｍａｒｙ  Ｃｅｌｌ）として接続を設定する場合（マクロセルの配置（ｄｅｐｌｏｙｍｅｎｔ）と独立して適用可能であり、マクロセルと重なって（ｏｖｅｒｌａｙ）配置されていなくてもよく、或いは重なって配置されていてもよい）、端末（ＵＥ）が移動しつつＰｃｅｌｌ  １から他のセルであるＰｃｅｌｌ  ２にハンドオーバー（Ｈａｎｄｏｖｅｒ）手順を行う場合が発生しうる。すなわち、端末（ＵＥ）が位置移動をすることから、Ｐｃｅｌｌ  １からＰｃｅｌｌ  ２にハンドオーバー手順を行う場合である。
【０１６０】
このとき、端末（ＵＥ）がハンドオーバーを行うためには、端末（ＵＥ）とターゲット基地局と見なし得るＰｃｅｌｌ  ２とのＴＡ（Ｔｉｍｉｎｇ  Ａｄｖａｎｃｅ）値を取得して上りリンク同期化を行わなければならないが、本発明によれば、端末（ＵＥ）が、ソース基地局たるＰｃｅｌｌ  １とターゲット基地局たるＰｃｅｌｌ  ２とのＴＡ値を特定メッセージで取得することができる。
【０１６１】
この時、端末（ＵＥ）が上記特定メッセージなどで取得した上記Ｐｃｅｌｌ  １とＰｃｅｌｌ  ２とのＴＡ値を用いてハンドオーバーを行うと、端末（ＵＥ）は、ハンドオーバーを行うターゲット基地局であるＰｃｅｌｌ  ２へのＰＲＡＣＨ（Ｐｈｙｓｉｃａｌ  Ｒａｎｄｏｍ  Ａｃｃｅｓｓ  Ｃｈａｎｎｅｌ）の送信及び上りリンク同期化（ＵＬ  Ｓｙｎｃｈｒｏｎｉｚａｔｉｏｎ）を行ってＰｃｅｌｌ  ２からＴＡ値を取得する過程を省略することができる。
【０１６２】
図１０は、二重接続端末のマクロセル間ハンドオーバー過程において本発明を適用し得るシナリオを説明するための図である。
【０１６３】
スモールセルが任意の２つのマクロセルの境界（ｅｄｇｅ）に位置する場合、一つのマクロセルＰｃｅｌｌ  １とスモールセルＳｃｅｌｌ  １に同時に接続している端末、すなわち、二重接続端末は、移動があるとき、既に接続しているマクロセルＰｃｅｌｌ  １から他のマクロセルＰｃｅｌｌ  ２にハンドオーバー手順を行う場合が発生しうる。すなわち、図１０に示すように、Ｐｃｅｌｌ  １とＳｃｅｌｌ  １に同時に接続している二重接続端末（ＵＥ）がＰｃｅｌｌ  ２へ移動をすることから、当該端末はＰＣｅｌｌ１からＰｃｅｌｌ  ２にハンドオーバー手順を行ってもよい。
【０１６４】
このとき、端末（ＵＥ）がハンドオーバーを行うためには、端末（ＵＥ）とターゲット基地局と見なし得るＰｃｅｌｌ  ２とのＴＡ値を取得して上りリンク同期化を行わなければならないが、本発明によれば、端末（ＵＥ）はＳｃｅｌｌ  １とＰｃｅｌｌ  ２とのＴＡ値をＰｃｅｌｌ  １（又は、Ｓｃｅｌｌ  １）からメッセージで取得することができる。
【０１６５】
この時、端末（ＵＥ）が上記メッセージで取得したＰｃｅｌｌ  １（又は、Ｓｃｅｌｌ  １）とＰｃｅｌｌ  ２とのＴＡ値を用いてハンドオーバーを行うと、端末（ＵＥ）は、ハンドオーバーを行うターゲット基地局であるＰｃｅｌｌ  ２へのＰＲＡＣＨ送信及び上りリンク同期化を行ってＰｃｅｌｌ  ２からＴＡ値を取得する過程を省略することができる。
【０１６６】
図１１は、二重接続端末のスモールセル追加過程において本発明を適用し得るシナリオを説明するための図である。
【０１６７】
図１１を参照すると、マクロセルとスモールセルが重なっている状況で、マクロセルとスモールセルに同時に接続している二重接続端末（ＵＥ）は、移動しつつ他のスモールセルに接続する場合が発生しうる。
【０１６８】
すなわち、上記のようにＳｃｅｌｌ追加（Ｓｃｅｌｌ  ａｄｄｉｔｉｏｎ）過程が行われてもよく、Ｓｃｅｌｌが活性化（ａｃｔｉｖａｔｉｏｎ）される場合、二重接続端末（ＵＥ）は、接続されているＰｃｅｌｌとｓｃｅｌｌが、異なるＴＡグループに属するｓＴＡグループ（Ｓｅｃｏｎｄａｒｙ  Ｔｉｍｉｎｇ  Ａｄｖａｎｃｅ  Ｇｒｏｕｐ）であれば、上記ｓｃｅｌｌに上りリンク同期化を行うために非競合ベースランダムアクセス手順を行うことが一般的である。
【０１６９】
例えば、図１１に示すように、Ｐｃｅｌｌ  １とＳｃｅｌｌ  １に同時に接続している二重接続端末（ＵＥ）は、Ｓｃｅｌｌ  ２側に移動をする場合、二重接続端末（ＵＥ）の測定（ｍｅａｓｕｒｅｍｅｎｔ）によってＳｃｅｌｌ  ２を追加（ａｄｄｉｔｉｏｎ）することができ、また、Ｓｃｅｌｌ  ２が活性化され、Ｓｃｅｌｌ  ２がｓＴＡグループに属する場合、Ｓｃｅｌｌ  ２にランダムアクセス手順を行うことができる。
【０１７０】
この場合、本発明によれば、端末（ＵＥ）はＳｃｅｌｌ  １とＳｃｅｌｌ  ２とのＴＡ値をＰｃｅｌｌ  １（又は、Ｓｃｅｌｌ  １、Ｓｃｅｌｌ  ２）からメッセージで取得することができる。
【０１７１】
このとき、端末（ＵＥ）がメッセージなどで取得したＳｃｅｌｌ  １とＳｃｅｌｌ  ２とのＴＡ値を用いると、端末（ＵＥ）は、Ｐｃｅｌｌ  １（又は、Ｓｃｅｌｌ  １、Ｓｃｅｌｌ  ２）からランダムアクセスプリアンブル割り当て（Ｒａｎｄｏｍ  Ａｃｃｅｓｓ  Ｐｒｅａｍｂｌｅ  ａｓｓｉｇｎｍｅｎｔ）メッセージを受信しなくてもよく、ランダムアクセスプリアンブルメッセージを送信しなくてもよく、ＴＡ値を得るためにランダムアクセス応答メッセージを受信しなくてもよい。
【０１７２】
一方、スモールセルが固定している（ｆｉｘｅｄ）場合には、ＴＡ値の変化がほとんどないので、スモールセルが特定セルにＰＲＡＣＨを送信してスモールセルと特定セルとの間のＴＡ値を取得する場合を、周辺の各端末（ＵＥ）がＰＲＡＣＨを送信する場合と比較してみると、前者の場合が相対的に少ないリソースを使用して済む。また、端末にとっては、あらかじめ取得したＴＡ値をターゲット基地局との別の接続手順無しで直ちに使用できるため、端末が直接ＰＲＡＣＨを送信して上りリンク同期化を行う場合に比べて、より速いハンドオーバー又はＳｃｅｌｌ追加を行うことができる。
【０１７３】
そこで、本発明では、図９乃至図１１で説明したように、端末がターゲット基地局へのハンドオーバー又はＳｃｅｌｌ追加過程を行う場合、基地局の取得したＴＡ値を受信し、これを用いて上りリンク同期化を行うことを提案する。
【０１７４】
一方、スモールセルが周辺のセルにＰＲＡＣＨを送信するためには、周辺のセルで使用する下りリンク周波数（Ｄｏｗｎｌｉｎｋ  ｆｒｅｑｕｅｎｃｙ）帯域を受信し、また周辺のセルで使用している下りリンク周波数で信号を送信可能でなければならない。例えば、スモールセルが周辺のセルとバックホールで接続可能である場合に適用することができる。
【０１７５】
以上の本発明の説明ではＴＡ値を取得する基地局をスモールセル（或いは、マクロセル）としたが、実際に本発明の適用はセルタイプに制限されない。また、セルの他、リレー（ｒｅｌａｙ）、エッグ（ｅｇｇ）などにも本発明を適用することができる。
【０１７６】
図１２は、本発明の一実施例によって端末がランダムアクセス手順を行うために必要な情報をサービング基地局が他の基地局から受信する過程を説明するための図である。
【０１７７】
スモールセルが周辺の特定セルにＰＲＡＣＨ送信を行うトリガー（ｔｒｉｇｇｅｒ）条件には様々なものがある。
【０１７８】
スモールセルに接続している端末（ＵＥ）が新しい隣接セル（ｎｅｉｇｈｂｏｒ  ｃｅｌｌ）を発見（ｄｅｔｅｃｔｉｏｎ）して、スモールセル（或いはマクロセル）に測定報告（ｍｅａｓｕｒｅｍｅｎｔ  ｒｅｐｏｒｔ）を行うことができる。この場合、ＳＯＮ（Ｓｅｌｆ−ｏｒｇａｎｉｚａｔｉｏｎ  ｎｅｔｗｏｒｋ）が動作している状況では、スモールセル（或いはマクロセル）は、新しい隣接セル（ｎｅｉｇｈｂｏｒ  ｃｅｌｌ）を隣接関係テーブル（ｎｅｉｇｈｂｏｒ  ｒｅｌａｔｉｏｎ  ｔａｂｌｅ）又は隣接セルリスト（ｎｅｉｇｈｂｏｒ  ｃｅｌｌ  ｌｉｓｔ）にアップデートすることができる。
【０１７９】
端末（ＵＥ）の測定報告を受信したスモールセル（或いはマクロセル）がスモールセルと特定ｃｅｌｌとのＴＡ値を知っていない場合、スモールセルは周辺の特定セルにＰＲＡＣＨを送信することができる。
【０１８０】
図１２を参照すると、セル１（ｃｅｌｌ  １）２００をサービングセルとする端末（ＵＥ）１００が、セル２（ｃｅｌｌ  ２）３００を発見し、それに対する測定報告をセル１（２００）に送信する（Ｓ１２０１）。
【０１８１】
上記測定報告メッセージを受信したセル１（２００）は、セル２（３００）が自身の隣接セルリストに含まれていないか、或いはセル１（２００）とセル２（３００）間のＴＡ値を知っていない場合に、セル１（２００）はセル２（３００）の周波数を測定（ｍｅａｓｕｒｅｍｅｎｔ）して、セル２（３００）との下りリンク同期情報（ＤＬ  ｓｙｎｃ）及びシステム情報（ｓｙｓｔｅｍ  ｉｎｆｏｒｍａｔｉｏｎ）を取得することができる。
【０１８２】
その後、セル１（２００）はセル２（３００）にＲＡＣＨＩｎｆｏ  Ｒｅｑｕｅｓｔメッセージを送信する（Ｓ１２０２）。このようなＲＡＣＨＩｎｆｏ  Ｒｅｑｕｅｓｔメッセージは、メッセージのタイプ（当該メッセージがＲＡＣＨＩｎｆｏ  ＲＡＣＨＩｎｆｏ  Ｒｅｑｕｅｓｔメッセージであることを示す指示子（ｉｎｄｉｃａｔｏｒ））、セル１（２００）のＰＣＩＤ（或いはＧＣＩＤ）、セル２（３００）のＰＣＩＤ（或いはＧＣＩＤ）などで構成されてもよい。このようなメッセージは、セル１（２００）とセル２（３００）のＸ２インターフェースを介してバックホール（ａｉｒ−ｉｎｔｅｒｆａｃｅ  ｂａｃｋｈａｕｌを含む。）などで送信されてもよい。
【０１８３】
セル２（３００）がセル１（２００）からＲＡＣＨＩｎｆｏ  Ｒｅｑｕｅｓｔメッセージを受信した場合に、セル２（３００）がセル１（２００）にＲＡＣＨＩｎｆｏ  Ｒｅｓｐｏｎｓｅメッセージを送信することができる（Ｓ１２０３）。
【０１８４】
ＲＡＣＨＩｎｆｏ  Ｒｅｓｐｏｎｓｅメッセージは、メッセージタイプ（当該メッセージがＲＡＣＨＩｎｆｏ  Ｒｅｓｐｏｎｓｅメッセージであることを示す指示子（ｉｎｄｉｃａｔｏｒ））、セル１（２００）のＰＣＩＤ（或いはＧＣＩＤ）、セル２（３００）のＰＣＩＤ（或いはＧＣＩＤ）、ＰＲＡＣＨ設定情報（基地局が端末（ＵＥ）のために送信する情報であり、既存システム情報と移動性調節情報（ｍｏｂｉｌｉｔｙ  ｃｏｎｔｒｏｌ  ｉｎｆｏｒｍａｔｉｏｎ）を含む。）などで構成されてもよい。このようなメッセージは、セル１（２００）とセル２（３００）のＸ２インターフェースを介してバックホール（ａｉｒ−ｉｎｔｅｒｆａｃｅ  ｂａｃｋｈａｕｌを含む。）などで送信されてもよい。
【０１８５】
このようなＲＡＣＨＩｎｆｏ  Ｒｅｓｐｏｎｓｅメッセージを受信したセル１（２００）は、セル２（３００）におけるＰＲＡＣＨ関連プリアンブル及びリソースなどに関する情報を取得することができ、これに基づいてセル１（２００）がセル２（３００）にランダムアクセスプリアンブル（Ｒａｎｄｏｍ  Ａｃｃｅｓｓ  Ｐｒｅａｍｂｌｅ）を送信することができる（Ｓ１２０４）。
【０１８６】
このとき、セル１（２００）は、セル２（３００）から送信するＰＲＡＣＨ設定メッセージによって、競合ベースランダムアクセスプリアンブルを送信してもよく、非競合ベースランダムアクセスプリアンブルを送信してもよい。
【０１８７】
また、セル２（３００）は、セル１（２００）が端末（ＵＥ）ではなく基地局であることを認知するためには、セル１（２００）に専用プリアンブル（ｄｅｄｉｃａｔｅｄ  ｐｒｅａｍｂｌｅ）を送信する方法を用いることもできる。
【０１８８】
一方、セル１（２００）から送信されたランダムアクセスプリアンブル（ｒａｎｄｏｍ  ａｃｃｅｓｓ  ｐｒｅａｍｂｌｅ）をセル２（３００）が発見した場合、セル２（３００）は、セル１（２００）とセル２（３００）とのＴＡ値を導出することができ、該導出されたＴＡ値をランダムアクセス応答（Ｒａｎｄｏｍ  Ａｃｃｅｓｓ  Ｒｅｓｐｏｎｓｅ）メッセージに含めてセル１（２００）に送信することができる。このとき、セル２（３００）がセル１（２００）に送信できる、次のような様々な方法がある。
【０１８９】
セル２（３００）は、既存のランダムアクセス手順と同様に、セル１（２００）が送信したリソースによって決定されるＲＡ−ＲＮＴＩ値でＣＲＣマスキング（ｍａｓｋｉｎｇ）された下りリンク承認（ＤＬ  ｇｒａｎｔ）をコモンサーチスペース（ｃｏｍｍｏｎ  ｓｅａｒｃｈ  ｓｐａｃｅ）で送信することができる。
【０１９０】
また、セル２（３００）は、下りリンク承認（ＤＬ  ｇｒａｎｔ）が割り当てるＰＤＳＣＨに、セル１（２００）とセル２（３００）間のＴＡ値を既存と同じ方法によって６ビットで送信することができる。
【０１９１】
また、セル１（２００）は、ＲＡ−ＲＮＴＩ値でＣＲＣマスキングされた下りリンク承認（ＤＬ  ｇｒａｎｔ）が割り当てるＰＤＳＣＨを受信してＴＡ値を取得することもできる。
【０１９２】
また、セル２（３００）はセル１（２００）にランダムアクセス応答（ｒａｎｄｏｍ  ａｃｃｅｓｓ  ｒｅｓｐｏｎｓｅ）メッセージをＸ２インターフェースを介したバックホールで送信することもできる。このランダムアクセス応答メッセージは、メッセージタイプ（当該メッセージがランダムアクセス応答メッセージであることを示す指示子）、セル１（２００）のＰＣＩＤ（或いはＧＣＩＤ）、セル２（３００）のＰＣＩＤ（或いはＧＣＩＤ）、ＴＡ値（６ビットで送信されてもよい。）などで構成されてもよい。
【０１９３】
一方、セル１（２００）が、自身がランダムアクセスプリアンブル（ｒａｎｄｏｍ  ａｃｃｅｓｓ  ｐｒｅａｍｂｌｅ）を送信したセル２（３００）からランダムアクセス応答（ｒａｎｄｏｍ  ａｃｃｅｓｓ  ｒｅｓｐｏｎｓｅ）メッセージを受信した場合、セル１（２００）はセル１（２００）とセル２（３００）とのＴＡ値がわかる。
【０１９４】
本発明では、このようにセル１（Ｃｅｌｌ  １）が取得したセル１（Ｃｅｌｌ  １）とセル２（Ｃｅｌｌ  ２）間のＴＡ値を端末が用いることができる。
【０１９５】
図１３は、本発明の一実施例によって端末がランダムアクセス手順を行うために必要な情報をサービング基地局が他の基地局から受信する過程を説明するための図である。
【０１９６】
ソース（Ｓｏｕｒｃｅ）ＰＣｅｌｌとＳｃｅｌｌに二重接続している端末がソースＰｃｅｌｌからターゲットＰｃｅｌｌに位置移動することから、ソースＰＣｅｌｌとの接続をターゲットＰｃｅｌｌにハンドオーバーしなければならない場合がありうる。
【０１９７】
このとき、本発明の一実施例によれば、上記のようなハンドオーバーを行うべき端末（ＵＥ）の数が多い場合（例えば、時間当たりソースＰｃｅｌｌからターゲットＰｃｅｌｌにハンドオーバーを行う端末の数があらかじめ定められた特定臨界値（ｔｈｒｅｓｈｏｌｄ）以上である場合など）、上記端末と既に接続されているスモールセル（ソースＰｃｅｌｌ、或いはソースＰｃｅｌｌとターゲットＰｃｅｌｌとの境界に位置しているセルなど）は、ＰＲＡＣＨを上記ターゲットＰｃｅｌｌに送信することができる。
【０１９８】
例えば、図９のように、セル１からセル２にハンドオーバー手順を行う端末（ＵＥ）の数が多い場合、セル１はセル２にＰＲＡＣＨを送信する手順を行うことができる。このような手順は、前述した図１２の手順のうち、セル１がセル２にＲＡＣＨＩｎｆｏ  Ｒｅｑｕｅｓｔメッセージを送信する過程、及びそれ以降の過程と同様に行うことができる。
【０１９９】
また、例えば、図１０のようにＰＣｅｌｌ１とＳＣｅｌｌ１に同時に接続している二重接続端末（ＵＥ）が、Ｐｃｅｌｌ  ２側に移動してＰｃｅｌｌ  １との接続をＰＣｅｌｌ２にハンドオーバーすべき場合が発生するが、このような場合が多く発生する場合には、ＳＣｅｌｌ  １がＰＣｅｌｌ  ２にＰＲＡＣＨを送信する手順を行うことができる。
【０２００】
このとき、Ｓｃｅｌｌ  １とターゲットＰｃｅｌｌ  ２とのＴＡ値或いはＳｃｅｌｌ  １とターゲットＰｃｅｌｌ  ２とのＴＡ値をＳｃｅｌｌ  １が取得しているという事実を（ソース）Ｐｃｅｌｌ  １が知っていてもよく、知っていなくてもよい。（ソース）Ｐｃｅｌｌ  １がハンドオーバー手順を行うか否かを決定するので、ソースＰｃｅｌｌ  １は、ソースＰｃｅｌｌ  １とＳｃｅｌｌ  １に同時に接続している二重接続端末（ＵＥ）が、ターゲットＰｃｅｌｌにハンドオーバーを行う数によってＳｃｅｌｌ  １のＰＲＡＣＨ送信をトリガーすることができる。
【０２０１】
このとき、ソースＰｃｅｌｌ  １が、Ｓｃｅｌｌ  １とターゲットＰｃｅｌｌ  ２とのＴＡ値或いはＳｃｅｌｌ  １とターゲットＰｃｅｌｌ  ２とのＴＡ値をＳｃｅｌｌ  １が取得しているという事実を知っていない場合には、Ｓｃｅｌｌ  １に、Ｓｃｅｌｌ  １がＳｃｅｌｌ  １とターゲットＰｃｅｌｌ  ２とのＴＡ値を知っているかを確認する手順を行ってもよい。このため、ソースＰｃｅｌｌ  １がＳｃｅｌｌ  １にＴＡ情報を確認する過程がＳｃｅｌｌ  １のＰＲＡＣＨ送信手順前に追加されてもよい。
【０２０２】
再び図１３を参照すると、ソースＰｃｅｌｌ  １（２００）は、追加的にＳｃｅｌｌ  １（１００）にＴＡ情報要請（ＴＡ  ｉｎｆｏｒｍａｔｉｏｎ  ｒｅｑｕｅｓｔ）メッセージを送信して、Ｓｃｅｌｌ  １（１００）がＳｃｅｌｌ  １（１００）とターゲットＰｃｅｌｌ  ２とのＴＡ値を知っているか否かの確認を要請することができる（Ｓ１３０１）。
【０２０３】
上記ＴＡ情報要請メッセージは、メッセージタイプ（当該メッセージがＴＡ  ｉｎｆｏｒｍａｔｉｏｎ  ｒｅｑｕｅｓｔメッセージであることを示す指示子）、Ｓｃｅｌｌ  １のＰＣＩＤ（或いはＧＣＩＤ）、ソースＰｃｅｌｌ  １のＰＣＩＤ（或いはＧＣＩＤ）、ターゲットＰｃｅｌｌ  ２のＰＣＩＤ（或いはＧＣＩＤ）などで構成されてもよい。このようなメッセージは、Ｓｃｅｌｌ  １とソースＰｃｅｌｌ  ２のＸ２インターフェースを介してバックホールで送信されてもよい。
【０２０４】
上記ＴＡ情報要請メッセージを受信したＳｃｅｌｌ  １は、ソースＰｃｅｌｌ  １にＴＡ情報応答（ＴＡ  ｉｎｆｏｒｍａｔｉｏｎ  Ｒｅｓｐｏｎｓｅ）メッセージを送信する（Ｓ１３０２）。ＴＡ情報応答メッセージは、メッセージタイプ（ＴＡ  ｉｎｆｏｒｍａｔｉｏｎ  ｒｅｓｐｏｎｓｅメッセージであることを示す指示子）、Ｓｃｅｌｌ  １のＰＣＩＤ（或いはＧＣＩＤ）、ソースＰｃｅｌｌ  １のＰＣＩＤ（或いはＧＣＩＤ）、ターゲットＰｃｅｌｌ  ２のＰＣＩＤ（或いはＧＣＩＤ）、ＴＡ値（或いは、ＴＡを知っているか否か）などで構成されてもよい。上記ＴＡ情報応答メッセージは、Ｓｃｅｌｌ  １とソースＰｃｅｌｌ  １のＸ２インターフェースを介してバックホールで送信されてもよい。
【０２０５】
上記ＴＡ情報応答メッセージを受信したソースＰｃｅｌｌ  １は、Ｓｃｅｌｌ  １がターゲットＰｃｅｌｌ  ２とのＴＡ値を知っているか否か（或いは、ＴＡ値）がわかる。前述したＴＡ情報応答メッセージにおいてターゲットＰｃｅｌｌ  ２のＰＣＩＤ（或いはＧＣＩＤ）は省略されてもよく、その場合には、ＴＡ情報応答メッセージを受信したＳｃｅｌｌ  １がソースＰｃｅｌｌ  １に自身の知っている各ｃｅｌｌとのＴＡ値を全て送信することができる。すなわち、ＴＡ情報応答メッセージが、メッセージタイプ（当該メッセージがＴＡ  ｉｎｆｏｒｍａｔｉｏｎ  ｒｅｓｐｏｎｓｅメッセージであることを示す指示子）、Ｓｃｅｌｌ  １のＰＣＩＤ（或いはＧＣＩＤ）、ソースＰｃｅｌｌ  １のＰＣＩＤ（或いはＧＣＩＤ）、｛Ｓｃｅｌｌ  １がＴＡを知っている任意のセルのＰＣＩＤ（或いはＧＣＩＤ）、Ｓｃｅｌｌ  １と任意のセルとのＴＡ値（或いは、ＴＡを知っているか否か）｝などで構成されてもよい。
【０２０６】
上記ＴＡ情報応答メッセージは、Ｓｃｅｌｌ  １とソースＰｃｅｌｌ  １のＸ２インターフェースを介してバックホールで送信されてもよい。ＴＡ情報応答メッセージを受信したソースＰｃｅｌｌ  １は、Ｓｃｅｌｌ  １が任意のｃｅｌｌとのＴＡを知っているか否かがわかり、特に、Ｓｃｅｌｌ  １がターゲットＰｃｅｌｌ  ２とのＴＡ値を知っているか否か、又はＳｃｅｌｌ  １とターゲットＰｃｅｌｌ  ２とのＴＡ値がわかる。
【０２０７】
Ｓｃｅｌｌ  １がターゲットＰｃｅｌｌ  ２とのＴＡ値を知っていない場合、Ｓｃｅｌｌ  １或いはソースＰｃｅｌｌ  １は、Ｓｃｅｌｌ  １がターゲットＰｃｅｌｌ  ２にＰＲＡＣＨを送信するための手順を行えるようにする。このとき、上記ＴＡ情報要請メッセージは、後述するランダムアクセス要請（Ｒａｎｄｏｍ  Ａｃｃｅｓｓ  ｒｅｑｕｅｓｔ）メッセージに取り替えることができる。
【０２０８】
図１４は、本発明の一実施例によって端末がランダムアクセス手順を行うために必要な情報をサービング基地局が他の基地局から受信する過程を説明するための図である。
【０２０９】
図１４を参照すると、ソースＰｃｅｌｌ（２００）及びＳｃｅｌｌ（１００）と端末が二重接続している状況で、Ｓｃｅｌｌ（１００）がターゲットＰｃｅｌｌ（３００）とＸ２インターフェースを有する場合がありうる。
【０２１０】
すなわち、このようにＳｃｅｌｌ（１００）がターゲットＰｃｅｌｌ（３００）とＸ２インターフェースを有する場合、前述した図１２の手順のうち、セル１がセル２にＲＡＣＨＩｎｆｏ  Ｒｅｑｕｅｓｔメッセージを送信する過程、及びそれ以降の過程と同様に動作することができる。
【０２１１】
ソースＰｃｅｌｌ（２００）は、図１３で説明したＳｃｅｌｌとのＴＡ情報要請及び応答手順によって、Ｓｃｅｌｌ（１００）がターゲットＰｃｅｌｌ（３００）とのＴＡ値を知っているか否かがわかる。
【０２１２】
仮にＳｃｅｌｌ（１００）がＳｃｅｌｌ（１００）とターゲットＰｃｅｌｌ（３００）とのＴＡ値を知っていない場合、ソースＰｃｅｌｌ（２００）は、ランダムアクセス要請（Ｒａｎｄｏｍ  Ａｃｃｅｓｓ  ｒｅｑｕｅｓｔ）メッセージをＳｃｅｌｌ（１００）に送信することができる。（Ｓ１４０１）
【０２１３】
上記ランダムアクセス要請メッセージは、メッセージタイプ（Ｒａｎｄｏｍ  Ａｃｃｅｓｓ  ｒｅｑｕｅｓｔメッセージであることを示す指示子）、Ｓｃｅｌｌ（１００）のＰＣＩＤ（或いはＧＣＩＤ）、ソースＰｃｅｌｌ（２００）のＰＣＩＤ（或いはＧＣＩＤ）、ターゲットＰｃｅｌｌ（３００）のＰＣＩＤ（或いはＧＣＩＤ）などで構成されてもよく、上記ランダムアクセス要請メッセージは、Ｓｃｅｌｌ（１００）とソースＰｃｅｌｌ（２００）のＸ２インターフェースを介してバックホールで送信されてもよい。
【０２１４】
上記ランダムアクセス要請メッセージを受信したＳｃｅｌｌ（１００）は、ターゲットＰｃｅｌｌ（３００）にＰＲＡＣＨを送信する手順を行うことができ、ＰＲＡＣＨ送信手順は、図１２で説明した手順のように行うことができる（Ｓ１４０２乃至Ｓ１４０５）。上記手順によってＳｃｅｌｌ（１００）はＳｃｅｌｌ（１００）とターゲットＰｃｅｌｌ（３００）とのＴＡ値を取得することができる。
【０２１５】
仮に、Ｓｃｅｌｌ（１００）とターゲットＰｃｅｌｌ（３００）とのＴＡ値を管理する主体がソースＰｃｅｌｌ（２００）になる場合には、Ｓｃｅｌｌ（１００）は、図１２で説明した手順であるＳ１４０２乃至Ｓ１４０５段階を行った後、上記ランダムアクセス応答から受信したＴＡ値をＴＡ情報メッセージでソースＰｃｅｌｌ（２００）に送信することができる（Ｓ１４０６）。
【０２１６】
上記ＴＡ情報メッセージは、メッセージタイプ（当該メッセージがＴＡ  ｉｎｆｏｒｍａｔｉｏｎメッセージであることを示す指示子）、Ｓｃｅｌｌ（１００）のＰＣＩＤ（或いはＧＣＩＤ）、ターゲットＰｃｅｌｌ（３００）のＰＣＩＤ（或いはＧＣＩＤ）、ソースＰＣｅｌｌ  １００のＰＣＩＤ（或いはＧＣＩＤ）、ＴＡ値などで構成されてもよい。
【０２１７】
上記ＴＡ情報メッセージを受信したソースＰｃｅｌｌ（２００）は、Ｓｃｅｌｌ（１００）とターゲットＰｃｅｌｌ（３００）とのＴＡ値がわかり、ソースＰｃｅｌｌ（２００）とＳｃｅｌｌ（１００）に同時に接続している二重接続端末（ＵＥ）をターゲットＰｃｅｌｌ（３００）にハンドオーバーさせるか否かを決定する場合、上記ＴＡ値を二重接続端末（ＵＥ）に送信することができる。
【０２１８】
図１５は、本発明の一実施例によって端末がランダムアクセス手順を行うために必要な情報をサービング基地局が他の基地局から受信する過程を説明するための図である。
【０２１９】
ソースＰＣｅｌｌ  ２００とＳｃｅｌｌ（１００）に二重接続している端末が上記ソースＰｃｅｌｌ（２００）からターゲットＰｃｅｌｌ（３００）に位置移動することから、上記ソースＰＣｅｌｌ  ２００との接続を上記ターゲットＰｃｅｌｌ（３００）にハンドオーバーしなければならない場合がありうる。
【０２２０】
このとき、本発明に一実施例によれば、上記のようなハンドオーバーを行うべき端末（ＵＥ）の数が多い場合（例えば、時間当たりソースＰｃｅｌｌ（２００）からターゲットＰｃｅｌｌ（３００）にハンドオーバーを行う端末の数が、あらかじめ定められた特定臨界値以上である場合など）、ソースＰｃｅｌｌ（２００）はターゲットＰｃｅｌｌ（３００）に、図１２で説明したＲＡＣＨＩｎｆｏ  Ｒｅｑｕｅｓｔメッセージを送信することができる（Ｓ１５０１）。
【０２２１】
上記ＲＡＣＨＩｎｆｏ  Ｒｅｑｕｅｓｔメッセージは、メッセージタイプ（当該メッセージがＲＡＣＨＩｎｆｏ  Ｒｅｑｕｅｓｔメッセージであることを示す指示子）、ソースＰｃｅｌｌ（２００）のＰＣＩＤ（或いはＧＣＩＤ）、ターゲットＰｃｅｌｌ（３００）のＰＣＩＤ（或いはＧＣＩＤ）、Ｓｃｅｌｌ（１００）のＰＣＩＤ（或いはＧＣＩＤ）などで構成されてもよく、上記ＲＡＣＨＩｎｆｏ  Ｒｅｑｕｅｓｔメッセージは、ソースＰｃｅｌｌ（２００）とターゲットＰｃｅｌｌ（３００）のＸ２インターフェースを介してバックホール（ａｉｒ−ｉｎｔｅｒｆａｃｅバックホールを含む。）などで送信されてもよい。
【０２２２】
上記ターゲットＰｃｅｌｌ（３００）がソースＰｃｅｌｌ（２００）から上記ＲＡＣＨＩｎｆｏ  Ｒｅｑｕｅｓｔメッセージを受信した場合、ターゲットＰｃｅｌｌ（３００）はＳｃｅｌｌ（１００）にＲＡＣＨＩｎｆｏ  Ｒｅｓｐｏｎｓｅメッセージを送信することができる（Ｓ１５０２）。
【０２２３】
上記ＲＡＣＨＩｎｆｏ  Ｒｅｓｐｏｎｓｅメッセージは、メッセージタイプ（当該メッセージがＲＡＣＨＩｎｆｏ  Ｒｅｓｐｏｎｓｅメッセージであることを示す指示子）、ターゲットＰｃｅｌｌ（３００）のＰＣＩＤ（或いはＧＣＩＤ）、ソースＰｃｅｌｌ（２００）のＰＣＩＤ（或いはＧＣＩＤ）、Ｓｃｅｌｌ（１００）のＰＣＩＤ（或いはＧＣＩＤ）、ＰＲＡＣＨ設定（Ｃｏｎｆｉｇｕｒａｔｉｏｎ）（基地局が端末（ＵＥ）のために送信する情報として既存システム情報及び移動性調節情報を含む。）などで構成されてもよい。
【０２２４】
上記ＲＡＣＨＩｎｆｏ  Ｒｅｓｐｏｎｓｅメッセージは、ターゲットＰｃｅｌｌ（３００）とＳｃｅｌｌ（１００）のＸ２インターフェースを介してバックホール（ａｉｒ−ｉｎｔｅｒｆａｃｅバックホールを含む。）などで送信されてもよい。
【０２２５】
上記ＲＡＣＨＩｎｆｏ  Ｒｅｓｐｏｎｓｅメッセージを受信したＳｃｅｌｌ（１００）は、ターゲットＰｃｅｌｌ（３００）におけるＰＲＡＣＨ関連プリアンブル及びリソースなどに関する情報を取得でき、これに基づいてＳｃｅｌｌ（１００）はターゲットＰｃｅｌｌ（３００）にランダムアクセスプリアンブル（Ｒａｎｄｏｍ  Ａｃｃｅｓｓ  Ｐｒｅａｍｂｌｅ）を送信することができる（Ｓ１５０３）。
【０２２６】
このとき、Ｓｃｅｌｌ（１００）は、ターゲットＰｃｅｌｌ（３００）から送信するＰＲＡＣＨ設定（Ｃｏｎｆｉｇｕｒａｔｉｏｎ）メッセージによって、競合ベースのランダムアクセスプリアンブル（Ｒａｎｄｏｍ  Ａｃｃｅｓｓ  Ｐｒｅａｍｂｌｅ）或いは非競合ベースのランダムアクセスプリアンブル（Ｒａｎｄｏｍ  Ａｃｃｅｓｓ  Ｐｒｅａｍｂｌｅ）を送信することができる。
【０２２７】
Ｓｃｅｌｌ（１００）から送信したランダムアクセスプリアンブル（ｒａｎｄｏｍ  ａｃｃｅｓｓ  ｐｒｅａｍｂｌｅ）をターゲットＰｃｅｌｌ（３００）が受信した場合、ターゲットＰｃｅｌｌ（３００）は、Ｓｃｅｌｌ（１００）とターゲットＰｃｅｌｌ（３００）とのＴＡ値を導出でき、ターゲットＰｃｅｌｌ（３００）は、上記導出されたＴＡ値をランダムアクセス応答（Ｒａｎｄｏｍ  Ａｃｃｅｓｓ  Ｒｅｓｐｏｎｓｅ）メッセージに含めてＳｃｅｌｌ（１００）に送信することができる（Ｓ１５０４）。
【０２２８】
一方、Ｓｃｅｌｌ（１００）は、自身がランダムアクセスプリアンブル（ｒａｎｄｏｍ  ａｃｃｅｓｓ  ｐｒｅａｍｂｌｅ）を送信したターゲットＰｃｅｌｌ（３００）からランダムアクセス応答（ｒａｎｄｏｍ  ａｃｃｅｓｓ  ｒｅｓｐｏｎｓｅ）メッセージを受信した場合、Ｓｃｅｌｌ（１００）とターゲットＰｃｅｌｌ（３００）とのＴＡ値がわかる。
【０２２９】
仮に、Ｓｃｅｌｌ（１００）とターゲットＰｃｅｌｌ（３００）とのＴＡ値を管理する主体がソースＰｃｅｌｌ（２００）になる場合には、Ｓｃｅｌｌ（１００）はＳ１５０３乃至Ｓ１５０４段階を行った後、上記ランダムアクセス応答から受信したＴＡ値をＴＡ情報メッセージでソースＰｃｅｌｌ（２００）に送信することができる（Ｓ１５０５）。このＴＡ情報メッセージは、メッセージタイプ（当該メッセージがＴＡ  ｉｎｆｏｒｍａｔｉｏｎメッセージであることを示す指示子）、Ｓｃｅｌｌ（１００）のＰＣＩＤ（或いはＧＣＩＤ）、ターゲットＰｃｅｌｌ（３００）のＰＣＩＤ（或いはＧＣＩＤ）、ソースＰＣｅｌｌ  １００のＰＣＩＤ（或いはＧＣＩＤ）、ＴＡ値などで構成されてもよい。
【０２３０】
上記ＴＡ情報メッセージを受信したソースＰｃｅｌｌ（２００）は、Ｓｃｅｌｌ（１００）とターゲットＰｃｅｌｌ（３００）とのＴＡ値がわかり、ソースＰｃｅｌｌ（２００）とＳｃｅｌｌ（１００）に同時に接続している二重接続端末（ＵＥ）をターゲットＰｃｅｌｌ（３００）にハンドオーバーさせるか否かを決定する場合、上記ＴＡ値を二重接続端末（ＵＥ）に送信することができる。
【０２３１】
図１６は、本発明の一実施例によって端末がランダムアクセス手順を行うために必要な情報をサービング基地局が他の基地局から受信する過程を説明するための図である。
【０２３２】
図１６を参照すると、ソースＰＣｅｌｌ  ２００とＳｃｅｌｌ（１００）に端末が二重接続している状況で、Ｓｃｅｌｌ（１００）がターゲットＰｃｅｌｌ（３００）とＸ２インターフェースを有しない場合がありうる。
【０２３３】
Ｓｃｅｌｌ（１００）がターゲットＰｃｅｌｌ（３００）とのＸ２インターフェースを有する図１４の場合と、Ｓｃｅｌｌ（１００）がターゲットＰｃｅｌｌ（３００）とのＸ２インターフェースを有しない図１６の場合とを比較すれば、略同様に動作するが、ただし、図１４ではＳｃｅｌｌ（１００）とターゲットＰｃｅｌｌ（３００）でＸ２インターフェースを介して直接送信されるメッセージが、図１６では直接送信されず、ソースＰｃｅｌｌ（２００）を介して送信されなければならない。メッセージは、前述したメッセージと同一或いは類似に構成することができる。
【０２３４】
さらにいうと、ソースＰＣｅｌｌ  ２００とＳｃｅｌｌ（１００）に二重接続している端末がソースＰｃｅｌｌ（２００）からターゲットＰｃｅｌｌ（３００）に位置移動することから、ソースＰＣｅｌｌ  ２００との接続をターゲットＰｃｅｌｌ（３００）にハンドオーバーしなければならない場合がありうる。これに加えて、Ｓｃｅｌｌ（１００）がターゲットＰｃｅｌｌ（３００）とＸ２インターフェースを有しない場合もありうる。
【０２３５】
このとき、本発明の一実施例によれば、上記のようなハンドオーバーを行うべき端末（ＵＥ）の数が多い場合（例えば、時間当たりソースＰｃｅｌｌ（２００）からターゲットＰｃｅｌｌ（３００）にハンドオーバーを行う端末の数が、あらかじめ定められた特定臨界値以上である場合など）、ソースＰｃｅｌｌ（２００）はＳｃｅｌｌ（１００）にランダムアクセス要請（Ｒａｎｄｏｍ  Ａｃｃｅｓｓ  ｒｅｑｕｅｓｔ）メッセージを送信することができる（Ｓ１６０１）
【０２３６】
上記ランダムアクセス要請メッセージは、メッセージタイプ（Ｒａｎｄｏｍ  Ａｃｃｅｓｓ  ｒｅｑｕｅｓｔメッセージであることを示す指示子）、Ｓｃｅｌｌ（１００）のＰＣＩＤ（或いはＧＣＩＤ）、ソースＰｃｅｌｌ（２００）のＰＣＩＤ（或いはＧＣＩＤ）、ターゲットＰｃｅｌｌ（３００）のＰＣＩＤ（或いはＧＣＩＤ）などで構成されてもよく、上記ランダムアクセス要請メッセージは、Ｓｃｅｌｌ（１００）とソースＰｃｅｌｌ（２００）のＸ２インターフェースを介してバックホールで送信されてもよい。
【０２３７】
上記ランダムアクセス要請メッセージを受信したＳｃｅｌｌ（１００）は、ターゲットＰｃｅｌｌ（３００）にＰＲＡＣＨを送信する手順を行わなければならないが、ターゲットＰｃｅｌｌ（３００）とのＸ２インターフェースがないので、ソースＰｃｅｌｌ（２００）にＲＡＣＨＩｎｆｏ  Ｒｅｑｕｅｓｔメッセージを送信する（Ｓ１６０２）。
【０２３８】
Ｓｃｅｌｌ（１００）からＲＡＣＨＩｎｆｏ  Ｒｅｑｕｅｓｔメッセージを受信したソースＰｃｅｌｌ（２００）は、受信したＲＡＣＨＩｎｆｏ  ＲｅｑｕｅｓｔメッセージをターゲットＰｃｅｌｌ（３００）に送信する（Ｓ１６０３）。
【０２３９】
ソースＰｃｅｌｌ（２００）からＲＡＣＨＩｎｆｏ  Ｒｅｑｕｅｓｔメッセージを受信したターゲットＰｃｅｌｌ（３００）は、Ｓｃｅｌｌ（１００）にＲＡＣＨＩｎｆｏ  Ｒｅｓｐｏｎｓｅメッセージを送信しなければならないが、Ｓｃｅｌｌ（１００）とのＸ２インターフェースがないので、ＲＡＣＨＩｎｆｏ  ＲｅｓｐｏｎｓｅメッセージをソースＰｃｅｌｌ（２００）に送信する（Ｓ１６０４）。
【０２４０】
上記ＲＡＣＨＩｎｆｏ  Ｒｅｓｐｏｎｓｅメッセージは、メッセージタイプ（当該メッセージがＲＡＣＨＩｎｆｏ  Ｒｅｓｐｏｎｓｅメッセージであることを示す指示子）、ターゲットＰｃｅｌｌ（３００）のＰＣＩＤ（或いはＧＣＩＤ）、ソースＰｃｅｌｌ（２００）のＰＣＩＤ（或いはＧＣＩＤ）、Ｓｃｅｌｌ（１００）のＰＣＩＤ（或いはＧＣＩＤ）、ＰＲＡＣＨ設定（Ｃｏｎｆｉｇｕｒａｔｉｏｎ）（基地局が端末（ＵＥ）のために送信する情報として既存システム情報及び移動性調節情報を含む。）などで構成されてもよい。
【０２４１】
上記ＲＡＣＨＩｎｆｏ  Ｒｅｓｐｏｎｓｅメッセージを受信したソースＰｃｅｌｌ（２００）は、該受信したＲＡＣＨＩｎｆｏ  ＲｅｓｐｏｎｓｅメッセージをＳｃｅｌｌ（１００）に送信することができる（Ｓ１６０５）。
【０２４２】
ソースＰｃｅｌｌ（２００）とＳｃｅｌｌ（１００）との間及びソースＰｃｅｌｌ（２００）とターゲットＰｃｅｌｌ（３００）との間のメッセージ送信は、Ｘ２インターフェースを介してバックホール（ａｉｒ−ｉｎｔｅｒｆａｃｅバックホールを含む。）などで送信されてもよい。
【０２４３】
ＲＡＣＨＩｎｆｏ  Ｒｅｓｐｏｎｓｅメッセージを受信したＳｃｅｌｌ（１００）は、ターゲットＰｃｅｌｌ（３００）におけるＰＲＡＣＨ関連プリアンブル及びリソースなどに関する情報を取得でき、これに基づいてＳｃｅｌｌ（１００）はターゲットＰｃｅｌｌ（３００）にランダムアクセスプリアンブル（Ｒａｎｄｏｍ  Ａｃｃｅｓｓ  Ｐｒｅａｍｂｌｅ）を送信することができる（Ｓ１６０６）。
【０２４４】
このとき、Ｓｃｅｌｌ（１００）は、ターゲットＰｃｅｌｌ（３００）からソースＰｃｅｌｌ（２００）を介して受信したＰＲＡＣＨ設定（Ｃｏｎｆｉｇｕｒａｔｉｏｎ）メッセージによって、競合ベースのランダムアクセスプリアンブル（Ｒａｎｄｏｍ  Ａｃｃｅｓｓ  Ｐｒｅａｍｂｌｅ）或いは非競合ベースのランダムアクセスプリアンブル（Ｒａｎｄｏｍ  Ａｃｃｅｓｓ  Ｐｒｅａｍｂｌｅ）を送信することもできる。
【０２４５】
一方、Ｓｃｅｌｌ（１００）から送信されたランダムアクセスプリアンブル（ｒａｎｄｏｍ  ａｃｃｅｓｓ  ｐｒｅａｍｂｌｅ）をターゲットＰｃｅｌｌ（３００）が受信した場合、ターゲットＰｃｅｌｌ（３００）はＳｃｅｌｌ（１００）とターゲットＰｃｅｌｌ（３００）間のＴＡ値を導出でき、ターゲットＰｃｅｌｌ（３００）は、上記導出されたＴＡ値をランダムアクセス応答（Ｒａｎｄｏｍ  Ａｃｃｅｓ  Ｒｅｓｐｏｎｓｅ）メッセージに含めてＳｃｅｌｌ（１００）に送信してもよいが、Ｓｃｅｌｌ（１００）とのＸ２インターフェースがないので、上記ランダムアクセス応答メッセージをソースＰｃｅｌｌ（２００）に送信する（Ｓ１６０７）。
【０２４６】
ソースＰｃｅｌｌ（２００）は、受信した上記ランダムアクセス応答メッセージをＳｃｅｌｌ（１００）に送信する（Ｓ１６０８）。
【０２４７】
一方、Ｓｃｅｌｌ（１００）が、ターゲットＰｃｅｌｌ（３００）からソースＰｃｅｌｌ（２００）を介してランダムアクセス応答（ｒａｎｄｏｍ  ａｃｃｅｓｓ  ｒｅｓｐｏｎｓｅ）メッセージを受信した場合、Ｓｃｅｌｌ（１００）はＳｃｅｌｌ（１００）とターゲットＰｃｅｌｌ（３００）とのＴＡ値がわかる。
【０２４８】
仮に、Ｓｃｅｌｌ（１００）とターゲットＰｃｅｌｌ（３００）とのＴＡ値を管理する主体がソースＰｃｅｌｌ（２００）になる場合には、Ｓｃｅｌｌ（１００）はＳ１６０２乃至Ｓ１６０８段階を行った後、上記ランダムアクセス応答から受信したＴＡ値をＴＡ情報メッセージでソースＰｃｅｌｌ（２００）に送信することができる（Ｓ１６０９）。このＴＡ情報メッセージは、メッセージタイプ（当該メッセージがＴＡ  ｉｎｆｏｒｍａｔｉｏｎメッセージであることを示す指示子）、Ｓｃｅｌｌ（１００）のＰＣＩＤ（或いはＧＣＩＤ）、ターゲットＰｃｅｌｌ（３００）のＰＣＩＤ（或いはＧＣＩＤ）、ソースＰＣｅｌｌ  １００のＰＣＩＤ（或いはＧＣＩＤ）、ＴＡ値などで構成されてもよい。
【０２４９】
上記ＴＡ情報メッセージを受信したソースＰｃｅｌｌ（２００）は、Ｓｃｅｌｌ（１００）とターゲットＰｃｅｌｌ（３００）とのＴＡ値がわかり、ソースＰｃｅｌｌ（２００）とＳｃｅｌｌ（１００）に同時に接続している二重接続端末（ＵＥ）をターゲットＰｃｅｌｌ（３００）にハンドオーバーさせるか否かを決定する場合、上記ＴＡ値を二重接続端末（ＵＥ）に送信することができる。
【０２５０】
図１７は、本発明の一実施例によって端末がランダムアクセス手順を行うために必要な情報をサービング基地局が他の基地局から受信する過程を説明するための図である。
【０２５１】
図１７を参照すると、ソースＰＣｅｌｌ（２００）とＳｃｅｌｌ（１００）に端末が二重接続している状況で、Ｓｃｅｌｌ（１００）がターゲットＰｃｅｌｌ（３００）とＸ２インターフェースを有しない場合がありうる。
【０２５２】
Ｓｃｅｌｌ（１００）がターゲットＰｃｅｌｌ（３００）とのＸ２インターフェースを有する図１５の場合と、Ｓｃｅｌｌ（１００）がターゲットＰｃｅｌｌ（３００）とのＸ２インターフェースを有しない図１７の場合とを比較すれば、略同様に動作するが、ただし、図１５ではＳｃｅｌｌ（１００）とターゲットＰｃｅｌｌ（３００）でＸ２インターフェースを介して直接送信されたメッセージが図１７では直接送信されず、ソースＰｃｅｌｌ（２００）を介して送信されなければならない。メッセージの構成は、前述したメッセージと同一に或いは類似に構成されてもよい。
【０２５３】
さらにいうと、ソースＰＣｅｌｌ（２００）とＳｃｅｌｌ（１００）に二重接続している端末がソースＰｃｅｌｌ（２００）からターゲットＰｃｅｌｌ（３００）に位置移動することから、ソースＰＣｅｌｌ（２００）との接続をターゲットＰｃｅｌｌ（３００）にハンドオーバーしなければならない場合がありうる。また、これに加えて、Ｓｃｅｌｌ（１００）がターゲットＰｃｅｌｌ（３００）とＸ２インターフェースを有しない場合もありうる。
【０２５４】
このとき、本発明の一実施例によれば、上記のようなハンドオーバーを行うべき端末（ＵＥ）の数が多い場合（例えば、時間当たりソースＰｃｅｌｌ（２００）からターゲットＰｃｅｌｌ（３００）にハンドオーバーを行う端末の数があらかじめ定められた特定臨界値以上である場合など）、ソースＰｃｅｌｌ（２００）はターゲットＰｃｅｌｌ（３００）に図１２で説明したＲＡＣＨＩｎｆｏ  Ｒｅｑｕｅｓｔメッセージを送信することができる（Ｓ１７０１）。
【０２５５】
上記ＲＡＣＨＩｎｆｏ  Ｒｅｑｕｅｓｔメッセージは、メッセージタイプ（当該メッセージがＲＡＣＨＩｎｆｏ  Ｒｅｑｕｅｓｔメッセージであることを示す指示子）、ソースＰｃｅｌｌ（２００）のＰＣＩＤ（或いはＧＣＩＤ）、ターゲットＰｃｅｌｌ（３００）のＰＣＩＤ（或いはＧＣＩＤ）、Ｓｃｅｌｌ（１００）のＰＣＩＤ（或いはＧＣＩＤ）などで構成されてもよく、上記ＲＡＣＨＩｎｆｏ  Ｒｅｑｕｅｓｔメッセージは、ソースＰｃｅｌｌ（２００）とターゲットＰｃｅｌｌ（３００）のＸ２インターフェースを介してバックホール（ａｉｒ−ｉｎｔｅｒｆａｃｅバックホールを含む。）などで送信されてもよい。
【０２５６】
ターゲットＰｃｅｌｌ（３００）がソースＰｃｅｌｌ（２００）から上記ＲＡＣＨＩｎｆｏ  Ｒｅｑｕｅｓｔメッセージを受信した場合、ターゲットＰｃｅｌｌ（３００）はＳｃｅｌｌ（１００）にＲＡＣＨＩｎｆｏ  Ｒｅｓｐｏｎｓｅメッセージを送信することができるが、ターゲットＰｃｅｌｌ（３００）とのＸ２インターフェースがないので直接送信できず、上記ＲＡＣＨＩｎｆｏ  ＲｅｓｐｏｎｓｅメッセージをソースＰｃｅｌｌ（２００）に送信することができる（Ｓ１７０２）。
【０２５７】
上記ＲＡＣＨＩｎｆｏ  Ｒｅｓｐｏｎｓｅメッセージは、メッセージタイプ（当該メッセージがＲＡＣＨＩｎｆｏ  Ｒｅｓｐｏｎｓｅメッセージであることを示す指示子）、ターゲットＰｃｅｌｌ（３００）のＰＣＩＤ（或いはＧＣＩＤ）、ソースＰｃｅｌｌ（２００）のＰＣＩＤ（或いはＧＣＩＤ）、Ｓｃｅｌｌ（１００）のＰＣＩＤ（或いはＧＣＩＤ）、ＰＲＡＣＨ設定（Ｃｏｎｆｉｇｕｒａｔｉｏｎ）（基地局が端末（ＵＥ）のために送信する情報として既存システム情報及び移動性調節情報を含む。）などで構成されてもよい。
【０２５８】
ターゲットＰｃｅｌｌ（３００）から上記ＲＡＣＨＩｎｆｏ  Ｒｅｓｐｏｎｓｅメッセージを受信したソースＰｃｅｌｌ（２００）は、受信した上記ＲＡＣＨＩｎｆｏ  Ｒｅｓｐｏｎｓｅメッセージをｓｃｅｌｌ（１００）に送信する（Ｓ１７０３）。
【０２５９】
上記ＲＡＣＨＩｎｆｏ  Ｒｅｓｐｏｎｓｅメッセージを受信したＳｃｅｌｌ（１００）は、ターゲットＰｃｅｌｌ（３００）におけるＰＲＡＣＨ関連プリアンブル及びリソースなどに関する情報を取得でき、これに基づいてＳｃｅｌｌ（１００）はターゲットＰｃｅｌｌ（３００）にランダムアクセスプリアンブル（Ｒａｎｄｏｍ  Ａｃｃｅｓｓ  Ｐｒｅａｍｂｌｅ）を送信することができる（Ｓ１７０４）。
【０２６０】
このとき、Ｓｃｅｌｌ（１００）は、ターゲットＰｃｅｌｌ（３００）からソースＰｃｅｌｌ（２００）を介して受信したＰＲＡＣＨ設定（Ｃｏｎｆｉｇｕｒａｔｉｏｎ）メッセージによって、競合ベースのランダムアクセスプリアンブル（Ｒａｎｄｏｍ  Ａｃｃｅｓｓ  Ｐｒｅａｍｂｌｅ）或いは非競合ベースのランダムアクセスプリアンブル（Ｒａｎｄｏｍ  Ａｃｃｅｓｓ  Ｐｒｅａｍｂｌｅ）を送信することもできる。
【０２６１】
Ｓｃｅｌｌ（１００）から送信されたランダムアクセスプリアンブル（ｒａｎｄｏｍ  ａｃｃｅｓｓ  ｐｒｅａｍｂｌｅ）をターゲットＰｃｅｌｌ（３００）が受信した場合、ターゲットＰｃｅｌｌ（３００）は、Ｓｃｅｌｌ（１００）とターゲットＰｃｅｌｌ（３００）間のＴＡ値を導出でき、ターゲットＰｃｅｌｌ（３００）は上記導出されたＴＡ値をランダムアクセス応答（Ｒａｎｄｏｍ  Ａｃｃｅｓｓ  Ｒｅｓｐｏｎｓｅ）メッセージに含めてＳｃｅｌｌ（１００）に送信することができるが、Ｓｃｅｌｌ（１００）とのＸ２インターフェースがないので、上記ランダムアクセス応答メッセージをソースＰｃｅｌｌ（２００）に送信する。（Ｓ１７０５）。
【０２６２】
ターゲットＰｃｅｌｌ（３００）から上記ランダムアクセス応答メッセージを受信したソースＰｃｅｌｌ（２００）は、受信した上記ランダムアクセス応答メッセージをｓｃｅｌｌ（１００）に送信する（Ｓ１７０６）。
【０２６３】
一方、Ｓｃｅｌｌ（１００）がターゲットＰｃｅｌｌ（３００）から送信されたランダムアクセス応答（ｒａｎｄｏｍ  ａｃｃｅｓｓ  ｒｅｓｐｏｎｓｅ）メッセージを上記ソースＰｃｅｌｌ（２００）を介して受信した場合、Ｓｃｅｌｌ（１００）は、Ｓｃｅｌｌ（１００）とターゲットＰｃｅｌｌ（３００）間のＴＡ値がわかる。
【０２６４】
仮に、Ｓｃｅｌｌ（１００）とターゲットＰｃｅｌｌ（３００）間のＴＡ値を管理する主体がソースＰｃｅｌｌ（２００）になる場合には、Ｓｃｅｌｌ（１００）は、Ｓ１７０４乃至Ｓ１７０６段階を行った後、上記ランダムアクセス応答から受信したＴＡ値をＴＡ情報メッセージでソースＰｃｅｌｌ（２００）に送信することができる（Ｓ１７０７）。このＴＡ情報メッセージは、メッセージタイプ（当該メッセージがＴＡ  ｉｎｆｏｒｍａｔｉｏｎメッセージであることを示す指示子）、Ｓｃｅｌｌ（１００）のＰＣＩＤ（或いはＧＣＩＤ）、ターゲットＰｃｅｌｌ（３００）のＰＣＩＤ（或いはＧＣＩＤ）、ソースＰＣｅｌｌ  １００のＰＣＩＤ（或いはＧＣＩＤ）、ＴＡ値などで構成されてもよい。
【０２６５】
上記ＴＡ情報メッセージを受信したソースＰｃｅｌｌ（２００）は、Ｓｃｅｌｌ（１００）とターゲットＰｃｅｌｌ（３００）間のＴＡ値がわかり、ソースＰｃｅｌｌ（２００）とＳｃｅｌｌ（１００）に同時に接続している二重接続端末（ＵＥ）をターゲットＰｃｅｌｌ（３００）にハンドオーバーさせるか否かを決定する場合、上記ＴＡ値を二重接続端末（ＵＥ）に送信することができる。
【０２６６】
図１８は、本発明の一実施例によって端末がランダムアクセス手順を行う過程を説明するための図である。
【０２６７】
図１８では、本発明の一実施例によってソースＰＣｅｌｌ（２００）とＳｃｅｌｌ（１００）に端末が二重接続している状況で、端末がランダムアクセス手順を行う過程を示している。
【０２６８】
既存のハンドオーバー手順では、ターゲットＰｃｅｌｌが、ハンドオーバーを行った後に端末（ＵＥ）がターゲットＰｃｅｌｌで使用するターゲットＣ−ＲＮＴＩ値を、ハンドオーバー要請確認（Ｈａｎｄｏｖｅｒ  ｒｅｑｕｅｓｔ  Ａｃｋｎｏｗｌｅｄｇｅｍｅｎｔ）を用いてソースＰｃｅｌｌに送信する。この情報を受信したソースＰｃｅｌｌは、無線リソース制御接続設定メッセージ（ＲＲＣ  Ｃｏｎｎｅｃｔｉｏｎ  Ｃｏｎｆｉｇｕｒａｔｉｏｎ  Ｍｅｓｓａｇｅ）で端末（ＵＥ）にターゲットＣ−ＲＮＴＩ値を送信する。
【０２６９】
図１８で、端末は、ハンドオーバーを行うターゲットＰｃｅｌｌ（３００）に関する情報を含む測定報告（ｍｅａｓｕｒｅｍｅｎｔ  Ｒｅｐｏｒｔ）を、ソースＰｃｅｌｌ（２００）に送信する（Ｓ１８０１）。この測定報告を受信したソースＰｃｅｌｌ（２００）は、ハンドオーバーを行うと決定すると、ターゲットＰｃｅｌｌ（３００）にハンドオーバー要請（Ｈａｎｄｏｖｅｒ  ｒｅｑｕｅｓｔ）メッセージを送信する（Ｓ１８０２）。このハンドオーバー要請（Ｈａｎｄｏｖｅｒ  ｒｅｑｕｅｓｔ）メッセージを受信したターゲットＰｃｅｌｌ（３００）は、ハンドオーバー要請に応じる場合、ソースＰｃｅｌｌ（２００）にハンドオーバー要請確認（Ｈａｎｄｏｖｅｒ  Ｒｅｑｕｅｓｔ  Ａｃｋｎｏｗｌｅｄｇｅｍｅｎｔ）メッセージを送信する（Ｓ１８０３）。
【０２７０】
一方、図１８では、Ｓｃｅｌｌ（１００）がＳｃｅｌｌ（１００）とターゲットＰｃｅｌｌ（３００）とのＴＡ値を管理する場合（知っている場合）を示している。この場合、ハンドオーバーを決定するソースＰｃｅｌｌ（２００）は、Ｓｃｅｌｌ（１００）がＳｃｅｌｌ（１００）とターゲットＰｃｅｌｌ（３００）とのＴＡ値を知っているか否かわからない。このため、前述したように、このようなことを確認する過程が必要である。
【０２７１】
そのために、ソースＰｅｌｌ２００はＳｃｅｌｌ（１００）にＴＡ情報要請（ＴＡ  ｉｎｆｏｒｍａｔｉｏｎ  ｒｅｑｕｅｓｔ）メッセージを送信する（Ｓ１８０４）。これを受信したＳｃｅｌｌ（１００）は、Ｓｃｅｌｌ（１００）とターゲットＰｃｅｌｌ（３００）とのＴＡの値を、ＴＡ情報応答（ＴＡ  ｉｎｆｏｒｍａｔｉｏｎ  ｒｅｓｐｏｎｓｅ）メッセージでソースＰｃｅｌｌ（２００）に送信する。
【０２７２】
ＴＡ情報応答メッセージの構成は、図１３で説明したＴＡ情報応答メッセージの構成と同一に適用することができる。この過程により、ソースＰｃｅｌｌ（２００）がＳｃｅｌｌ（１００）とターゲットＰｃｅｌｌ（３００）とのＴＡ値を取得することができる。
【０２７３】
ソースＰｃｅｌｌ（２００）は、その後、端末（ＵＥ）１０に無線リソース制御接続設定（ＲＲＣ  ｃｏｎｎｅｃｔｉｏｎ  Ｃｏｎｆｉｇｕｒａｔｉｏｎ）メッセージを送信し、この時、Ｓｃｅｌｌ（１００）のＰＣＩＤ（或いはＧＣＩＤ）、及びＳｃｅｌｌ（１００）とターゲットＰｃｅｌｌ（３００）とのＴＡ値を含めて送信することができる。
【０２７４】
上記無線リソース制御接続設定メッセージにターゲットＰｃｅｌｌ（３００）へのランダムアクセス手順の実行と関連した情報が含まれていない場合、端末（ＵＥ）１０は、本発明で提案された方法を適用すべきであるということがわかり、その後、ターゲットＰｃｅｌｌ（３００）へのランダムアクセス手順を行わずに、提案された手順を行う。上記無線リソース制御接続設定メッセージからＴＡ値を取得した端末（ＵＥ）１０は、ターゲットＰｃｅｌｌの下りリンク同期を獲得した後、自身が接続していたＳｃｅｌｌ（１００）におけるＴＡ値、及びＳｃｅｌｌ（１００）とターゲットＰｃｅｌｌ（３００）間のＴＡ値を用いて、ターゲットＰｃｅｌｌ（３００）の上りリンク同期化（Ｕｐｌｉｎｋ  Ｓｙｎｃｈｒｏｎｉｚａｔｉｏｎ）情報を取得する。
【０２７５】
ターゲットＰｃｅｌｌ（３００）は、端末（ＵＥ）のためにＳ１８０７段階及びＳ１８０８段階を経て、ターゲットＣ−ＲＮＴＩを有する端末（ＵＥ）のサーチスペース（ｓｅａｒｃｈ  ｓｐａｃｅ）で上りリンク承認（Ｕｐｌｉｎｋ  ｇｒａｎｔ；ＵＬ  ｇｒａｎｔ）を送信する（Ｓ１８０９）。
【０２７６】
ターゲットＣ−ＲＮＴＩでブラインドデコーディング（Ｂｌｉｎｄ  ｄｅｃｏｄｉｎｇ）を行う端末（ＵＥ）１０は、上記上りリンク承認（ＵＬ  ｇｒａｎｔ）をデコードし、上りリンク承認（ＵＬ  ｇｒａｎｔ）が知らせるリソースで無線リソース制御接続設定完了（ＲＲＣ  Ｃｏｎｎｅｃｔｉｏｎ  Ｃｏｍｐｌｅｔｅ）メッセージをターゲットＰｃｅｌｌ（３００）に送信することができる（Ｓ１８１０）。
【０２７７】
この過程により、ターゲットＰｃｅｌｌ（３００）とＳｃｅｌｌ（１００）との無線リソース制御接続（ＲＲＣ  ｃｏｎｎｅｃｔｉｏｎ）が設定され、端末（ＵＥ）１０はターゲットＰｃｅｌｌ（３００）と通信を行うことができる。また、ターゲットＰｃｅｌｌ（３００）はソースＰｃｅｌｌ（２００）に接続解除を要請するメッセージ（ＵＥ  Ｃｏｎｔｅｘｔ  Ｒｅｌｅａｓｅ）を送信し、ソースＰｃｅｌｌ（２００）は端末（ＵＥ）１０との接続を解除する（Ｓ１８１１）。
【０２７８】
図１９は、本発明の一実施例によって端末がランダムアクセス手順を行う過程を説明するための図である。
【０２７９】
図１９では、本発明の一実施例によってソースＰＣｅｌｌ（２００）とＳｃｅｌｌ（１００）に端末が二重接続している状況で、端末がランダムアクセス手順を行う過程を示している。
【０２８０】
図１９で、端末は、ハンドオーバーを行うターゲットＰｃｅｌｌ（３００）に関する情報を含む測定報告（ｍｅａｓｕｒｅｍｅｎｔ  Ｒｅｐｏｒｔ）を、ソースＰｃｅｌｌ（２００）に送信する（Ｓ１９０１）。この測定報告を受信したソースＰｃｅｌｌ（２００）は、ハンドオーバーを行うと決定すると、ターゲットＰｃｅｌｌ（３００）にハンドオーバー要請（Ｈａｎｄｏｖｅｒ  ｒｅｑｕｅｓｔ）メッセージを送信する（Ｓ１９０２）。このハンドオーバー要請（Ｈａｎｄｏｖｅｒ  ｒｅｑｕｅｓｔ）メッセージを受信したターゲットＰｃｅｌｌ（３００）は、ハンドオーバー要請に応じる場合、ソースＰｃｅｌｌ（２００）にハンドオーバー要請確認（Ｈａｎｄｏｖｅｒ  Ｒｅｑｕｅｓｔ  Ａｃｋｎｏｗｌｅｄｇｅｍｅｎｔ）メッセージを送信する（Ｓ１９０３）。
【０２８１】
一方、図１９では、Ｓｃｅｌｌ（１００）がＳｃｅｌｌ（１００）とターゲットＰｃｅｌｌ（３００）とのＴＡ値を管理する場合（知っている場合）を示している。この場合、ハンドオーバーを決定するソースＰｃｅｌｌ（２００）は、Ｓｃｅｌｌ（１００）にＴＡ情報要請（ＴＡ  ｉｎｆｏｒｍａｔｉｏｎ  ｒｅｑｕｅｓｔ）メッセージを送信する（Ｓ１９０４）。
【０２８２】
上記ＴＡ情報要請メッセージの構成は、メッセージタイプ（当該メッセージがＴＡ  ｉｎｆｏｒｍａｔｉｏｎ  ｒｅｑｕｅｓｔメッセージであることを知らせる指示子）、Ｓｃｅｌｌ（１００）のＰＣＩＤ（或いはＧＣＩＤ）、ソースＰｃｅｌｌ（２００）のＰＣＩＤ（或いはＧＣＩＤ）、ターゲットＰｃｅｌｌ（３００）のＰＣＩＤ（或いはＧＣＩＤ）、端末（ＵＥ）１０のＣ−ＲＮＴＩ（Ｓｃｅｌｌ（１００）におけるＣ−ＲＮＴＩ或いはソースＰＣｅｌｌ（２００）におけるＣ−ＲＮＴＩ）などで構成されてもよく、上記ＴＡ情報要請メッセージは、Ｓｃｅｌｌ（１００）とソースＰｃｅｌｌ（２００）間のＸ２インターフェースを介してバックホールで送信されてもよい。
【０２８３】
上記ＴＡ情報要請メッセージを受信したＳｃｅｌｌ（１００）は、該ＴＡ情報要請メッセージに情報が含まれている端末（ＵＥ）１０にＴＡ情報応答（ＴＡ  ｉｎｆｏｒｍａｔｉｏｎ  ｒｅｓｐｏｎｓｅ）メッセージを送信する（Ｓ１９０５）。
【０２８４】
上記ＴＡ情報応答メッセージは、メッセージタイプ（当該メッセージがＴＡ  ｉｎｆｏｒｍａｔｉｏｎ  ｒｅｓｐｏｎｓｅメッセージであることを示す指示子）、Ｓｃｅｌｌ（１００）のＰＣＩＤ（或いはＧＣＩＤ）、ソースＰｃｅｌｌ（２００）のＰＣＩＤ（或いはＧＣＩＤ）、ターゲットＰｃｅｌｌ（３００）のＰＣＩＤ（或いはＧＣＩＤ）、Ｓｃｅｌｌ（１００）とターゲットＰＣｅｌｌ（３００）とのＴＡ値などで構成されてもよく、上記ＴＡ情報応答メッセージは、Ｓｃｅｌｌ（１００）の上位層信号（ｈｉｇｈ  ｌａｙｅｒ  ｓｉｇｎａｌ）で送信されてもよい。
【０２８５】
上記ＴＡ情報応答メッセージを受信した端末（ＵＥ）１０は、Ｓｃｅｌｌ（１００）とターゲットＰｃｅｌｌ（３００）間のＴＡ値がわかる。前述したＴＡ情報要請メッセージにおいてターゲットＰｃｅｌｌ（３００）のＰＣＩＤ（或いはＧＣＩＤ）が省略されてもよく、このようなターゲットＰｃｅｌｌ（３００）のＰＣＩＤ（或いはＧＣＩＤ）が省略されたＴＡ情報要請メッセージを受信したＳｃｅｌｌ（１００）は、ＴＡ情報要請メッセージに情報が含まれている端末（ＵＥ）１０に、自身が知っているｃｅｌｌとのＴＡ値を全て送信することができる。
【０２８６】
すなわち、ＴＡ情報応答メッセージは、メッセージタイプ（当該メッセージがＴＡ  ｉｎｆｏｒｍａｔｉｏｎ  ｒｅｓｐｏｎｓｅメッセージであることを示す指示子）、Ｓｃｅｌｌ（１００）のＰＣＩＤ（或いはＧＣＩＤ）、ソースＰｃｅｌｌ（２００）のＰＣＩＤ（或いはＧＣＩＤ）、｛Ｓｃｅｌｌ（１００）がＴＡを知っている任意のセルのＰＣＩＤ（或いはＧＣＩＤ）、Ｓｃｅｌｌ（１００）と任意のセル間のＴＡ値｝などで構成されてもよい。このようなＴＡ情報応答メッセージは、Ｓｃｅｌｌ（１００）から上位層信号で送信されてもよい。
【０２８７】
上記ＴＡ情報応答メッセージを受信した端末（ＵＥ）１０は、Ｓｃｅｌｌ（１００）と任意のセル間のＴＡ値がわかり、特に、Ｓｃｅｌｌ（１００）とターゲットＰｃｅｌｌ（３００）間のＴＡ値及び提案された方法を適用しなければならないということがわかる。
【０２８８】
その後、端末（ＵＥ）１０はターゲットＰｃｅｌｌ（３００）への一般的なランダムアクセス手順を行わずに、本発明で提案された手順を行う。その後、端末（ＵＥ）１０はソースＰｃｅｌｌ（２００）から無線リソース制御接続設定（ＲＲＣ  ｃｏｎｎｅｃｔｉｏｎ  Ｃｏｎｆｉｇｕｒａｔｉｏｎ）メッセージを受信することができる（Ｓ１９０６）。
【０２８９】
上記無線リソース制御接続設定メッセージはターゲットＣ−ＲＮＴＩ値が含むことができる。端末（ＵＥ）１０はソースＰｃｅｌｌ（２００）からターゲットＰｃｅｌｌ（３００）の下りリンク同期を獲得した後、自身が接続していたＳｃｅｌｌ（１００）におけるＴＡ値、及びＳｃｅｌｌ（１０）とターゲットＰｃｅｌｌ（３００）間のＴＡ値を用いて、ターゲットＰｃｅｌｌ（３００）の上りリンク同期化情報を取得する。
【０２９０】
ターゲットＰｃｅｌｌ（３００）は、端末（ＵＥ）のために、Ｓ１９０７段階及びＳ１９０８段階を経て、ターゲットＣ−ＲＮＴＩを有する端末（ＵＥ）のサーチスペース（ｓｅａｒｃｈ  ｓｐａｃｅ）で上りリンク承認（ＵＬ  ｇｒａｎｔ）を送信する（Ｓ１９０９）。
【０２９１】
ターゲットＣ−ＲＮＴＩでブラインドデコーディングを行う端末（ＵＥ）１０は、上記上りリンク承認（ＵＬ  ｇｒａｎｔ）をデコードし、上りリンク承認（ＵＬ  ｇｒａｎｔ）が知らせるリソースで無線リソース制御接続設定完了（ＲＲＣ  Ｃｏｎｎｅｃｔｉｏｎ  Ｃｏｍｐｌｅｔｅ）メッセージをターゲットＰｃｅｌｌ（３００）に送信することができる（Ｓ１９１０）。
【０２９２】
この過程により、ターゲットＰｃｅｌｌ（３００）とＳｃｅｌｌ（１００）との無線リソース制御接続（ＲＲＣ  ｃｏｎｎｅｃｔｉｏｎ）が設定され、端末（ＵＥ）１０はターゲットＰｃｅｌｌ（３００）と通信を行うことができる。また、ターゲットＰｃｅｌｌ（３００）はソースＰｃｅｌｌ（２００）に接続解除を要請するメッセージ（ＵＥ  Ｃｏｎｔｅｘｔ  Ｒｅｌｅａｓｅ）を送信し、ソースＰｃｅｌｌ（２００）は端末（ＵＥ）１０との接続を解除する（Ｓ１９１１）。
【０２９３】
図２０は、本発明の一実施例によって端末がランダムアクセス手順を行う過程を説明するための図である。
【０２９４】
図２０では、本発明の一実施例によってソースＰＣｅｌｌ（２００）とＳｃｅｌｌ（１００）に端末が二重接続している状況で、端末がランダムアクセス手順を行う過程を示している。
【０２９５】
図２０で、端末は、ハンドオーバーを行うターゲットＰｃｅｌｌ（３００）に関する情報を含む測定報告（ｍｅａｓｕｒｅｍｅｎｔ  Ｒｅｐｏｒｔ）を、ソースＰｃｅｌｌ（２００）に送信する（Ｓ２００１）。この測定報告を受信したソースＰｃｅｌｌ（２００）は、ハンドオーバーを行うと決定すると、ターゲットＰｃｅｌｌ（３００）にハンドオーバー要請（Ｈａｎｄｏｖｅｒ  ｒｅｑｕｅｓｔ）メッセージを送信する（Ｓ２００２）。上記ハンドオーバー要請（Ｈａｎｄｏｖｅｒ  ｒｅｑｕｅｓｔ）メッセージを受信したターゲットＰｃｅｌｌ（３００）は、ハンドオーバー要請に応じる場合、ソースＰｃｅｌｌ（２００）にハンドオーバー要請確認（Ｈａｎｄｏｖｅｒ  Ｒｅｑｕｅｓｔ  Ａｃｋｎｏｗｌｅｄｇｅｍｅｎｔ）メッセージを送信する（Ｓ２００３）。
【０２９６】
一方、図２０では、ソースＰｃｅｌｌ（２００）がＳｃｅｌｌ（１００）とターゲットＰｃｅｌｌ（３００）とのＴＡ値を管理する場合（知っている場合）を示している。すなわち、ソースＰｃｅｌｌ（２００）は、Ｓｃｅｌｌ（１００）とターゲットＰｃｅｌｌ（３００）間のＴＡ値を知っており、それを管理することができる。
【０２９７】
このとき、ソースＰｃｅｌｌ（２００）がソースＰｃｅｌｌ（２００）とＳｃｅｌｌ（１００）を同時に接続している二重接続端末（ＵＥ）１０のターゲットＰｃｅｌｌ（３００）へのハンドオーバーを決定した場合、ソースＰｃｅｌｌ（２００）は、ハンドオーバー手順上で端末（ＵＥ）１０に送信する無線リソース制御接続再設定（ＲＲＣ  ｃｏｎｎｅｃｔｉｏｎ  ｒｅｃｏｎｆｉｇｕｒａｔｉｏｎ）メッセージを送信することができる（Ｓ２００４）。
【０２９８】
上記無線リソース制御接続再設定メッセージを用いてターゲットＰｃｅｌｌ（３００）のＰＣＩＤ（或いはＧＣＩＤ）、Ｓｃｅｌｌ（１００）のＰＣＩＤ（或いはＧＣＩＤ）、Ｓｃｅｌｌ（１００）とターゲットＰＣｅｌｌ（３００）間のＴＡ値などをさらに送信することができる。
【０２９９】
上記無線リソース制御接続再設定メッセージを受信した端末（ＵＥ）１０は、Ｓｃｅｌｌ（１００）とターゲットＰＣｅｌｌ（３００）とのＴＡ値、及び既存に送信されるターゲットＣ−ＲＮＴＩ値がわかる。
【０３００】
また、上記無線リソース制御接続再設定メッセージにターゲットＰｃｅｌｌ（３００）へのランダムアクセス手順の実行と関連した情報が含まれていない場合、端末（ＵＥ）１０は、本発明で提案された方法を適用しなければならないということがわかり、その後、ターゲットＰｃｅｌｌ（３００）へのランダムアクセス手順を行わずに、本発明で提案された手順を行う。
【０３０１】
端末（ＵＥ）１０は、ソースＰｃｅｌｌ（２００）からターゲットＰｃｅｌｌの下りリンク同期を獲得した後、自身が接続していたＳｃｅｌｌ（１００）におけるＴＡ値、及びＳｃｅｌｌ（１００）とターゲットＰｃｅｌｌ（３００）間のＴＡ値を用いて、ターゲットＰｃｅｌｌ（３００）の上りリンク同期化情報を取得する。
【０３０２】
ターゲットＰｃｅｌｌ（３００）は、端末（ＵＥ）のためにＳ２００５段階及びＳ２００６段階を経て、ターゲットＣ−ＲＮＴＩを有する端末（ＵＥ）のサーチスペース（ｓｅａｒｃｈ  ｓｐａｃｅ）で上りリンク承認（ＵＬ  ｇｒａｎｔ）を送信する（Ｓ２００７）。
【０３０３】
ターゲットＣ−ＲＮＴＩでブラインドデコーディングを行う端末（ＵＥ）１０は、上記上りリンク承認（ＵＬ  ｇｒａｎｔ）をデコードし、上りリンク承認（ＵＬ  ｇｒａｎｔ）が知らせるリソースで無線リソース制御接続設定完了（ＲＲＣ  Ｃｏｎｎｅｃｔｉｏｎ  Ｃｏｍｐｌｅｔｅ）メッセージをターゲットＰｃｅｌｌ（３００）に送信することができる（Ｓ２００８）。
【０３０４】
この過程により、ターゲットＰｃｅｌｌ（３００）とＳｃｅｌｌ（１００）との無線リソース制御接続（ＲＲＣ  ｃｏｎｎｅｃｔｉｏｎ）が設定され、端末（ＵＥ）１０はターゲットＰｃｅｌｌ（３００）と通信を行うことができる。また、ターゲットＰｃｅｌｌ（３００）はソースＰｃｅｌｌ（２００）に接続解除を要請するメッセージ（ＵＥ  Ｃｏｎｔｅｘｔ  Ｒｅｌｅａｓｅ）を送信し、ソースＰｃｅｌｌ（２００）は端末（ＵＥ）１０との接続を解除する（Ｓ２００９）。
【０３０５】
図２１は、本発明の一実施例によって二重接続端末がスモールセルを追加する過程を説明するための図である。
【０３０６】
図２１は、Ｐｃｅｌｌ（３００）とＳＣｅｌｌ  １（１００）に同時に接続している二重接続端末（ＵＥ）１０にＳＣｅｌｌ  ２（２００）を追加（ａｄｄｉｔｉｏｎ）する場合であり、図１１に示したシナリオにおいてＳＣｅｌｌ  ２（２００）がＳｃｅｌｌ  １（１００）とｓＴＡＧに属する場合、端末（ＵＥ）１０はＳＣｅｌｌ  ２（２００）にランダムアクセス手順を行うことができる。
【０３０７】
このとき、本発明の一実施例によれば、Ｓｃｅｌｌの追加時に、新しく追加するＳＣｅｌｌ  ２（２００）の上りリンク同期化をより速く行うことができる。
【０３０８】
新しく追加されるＳＣｅｌｌ  ２（２００）と既存の二重接続端末（ＵＥ）に接続されていたＳＣｅｌｌ  １（１００）間のＴＡ値は、前述したＳＣｅｌｌ  １（１００）がＳＣｅｌｌ  ２（２００）にＰＲＡＣＨを送信する過程或いはＳＣｅｌｌ  ２（２００）がＳＣｅｌｌ  １（１００）にＰＲＡＣＨを送信する過程で、ＳＣｅｌｌ  １（１００）とＳＣｅｌｌ  ２（２００）間のＴＡ値がＳＣｅｌｌ  １（１００）或いはＳＣｅｌｌ  ２（２００）にとってわかる。ＳＣｅｌｌ  １（１００）に接続している端末（ＵＥ）にＳＣｅｌｌ  １（１００）とＳＣｅｌｌ  ２（２００）とのＴＡ値を送信することによって、端末（ＵＥ）はＳＣｅｌｌ  ２（２００）の上りリンク同期化をより速く行うことができる。
【０３０９】
Ｓｃｅｌｌを追加する場合、ＳＣｅｌｌ  １（１００）とＳＣｅｌｌ  ２（２００）とのＴＡ値を管理する主体によって様々な方法を適用することができ、図２１では、ＳＣｅｌｌ  １（１００）がＴＡ値を管理する場合を示している。
【０３１０】
二重接続端末（ＵＥ）が接続しているＳＣｅｌｌ  １（１００）は、ＳＣｅｌｌ  １（１００）と新しく追加するＳＣｅｌｌ  ２（２００）とのＴＡ値を管理することができる。
【０３１１】
例えば、図２１では、ＰＣｅｌｌ（３００）が端末（ＵＥ）１０に無線リソース制御接続再設定（ＲＲＣ  ｃｏｎｎｅｃｔｉｏｎ  ｒｅｃｏｎｆｉｇｕｒａｔｉｏｎ）メッセージを用いてＳＣｅｌｌ  ２（２００）を追加するメッセージを送信する（Ｓ２１０１）。
【０３１２】
このとき、上記無線リソース制御接続再設定メッセージにＳＣｅｌｌ  ２（２００）へのランダムアクセス手順の実行と関連した情報が含まれていない場合、或いは本発明で提案された方法を適用するという指示子（Ｉｎｄｉｃａｔｏｒ）が送信される場合には、端末（ＵＥ）１０は、本発明で提案された方法を適用すべきであるということがわかり、その後、ＳＣｅｌｌ  ２（２００）にランダムアクセス手順を行わずに、本発明で提案された手順を行う。
【０３１３】
その後、Ｐｃｅｌｌ（３００）はＳＣｅｌｌ  １（１００）にＴＡ情報要請（ＴＡ  ｉｎｆｏｒｍａｔｉｏｎ  ｒｅｑｕｅｓｔ）メッセージを送信する（Ｓ２１０２）。
【０３１４】
上記ＴＡ情報要請メッセージの構成は、メッセージタイプ（当該メッセージがＴＡ  ｉｎｆｏｒｍａｔｉｏｎ  ｒｅｑｕｅｓｔメッセージであることを知らせる指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、端末（ＵＥ）１０のＣ−ＲＮＴＩ（ＳＣｅｌｌ  １（１００）におけるＣ−ＲＮＴＩ或いはＰＣｅｌｌ（３００）におけるＣ−ＲＮＴＩ）などで構成されてもよく、上記ＴＡ情報要請メッセージは、ＳＣｅｌｌ  １（１００）とＰｃｅｌｌ（３００）間のＸ２インターフェースを介してバックホール（ａｉｒ−Ｂａｃｋｈａｕｌを含む。）で送信されてもよい。
【０３１５】
上記ＴＡ情報要請メッセージを受信したＳＣｅｌｌ  １（１００）は、上記ＴＡ情報要請メッセージに情報が含まれている端末（ＵＥ）１０に、ＴＡ情報応答（ＴＡ  ｉｎｆｏｒｍａｔｉｏｎ  ｒｅｓｐｏｎｓｅ）メッセージを送信する（Ｓ２１０３）。
【０３１６】
上記ＴＡ情報応答メッセージは、メッセージタイプ（当該メッセージがＴＡ  ｉｎｆｏｒｍａｔｉｏｎ  ｒｅｓｐｏｎｓｅメッセージであることを示す指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、ＳＣｅｌｌ  １（１００）とＳＣｅｌｌ  ２（２００）間のＴＡ値などで構成されてもよく、上記ＴＡ情報応答メッセージは、ＳＣｅｌｌ  １（１００）の上位層信号などで送信されてもよい。
【０３１７】
このようなＴＡ情報応答メッセージを受信した端末（ＵＥ）１０は、ＳＣｅｌｌ  １（１００）とＳＣｅｌｌ  ２（２００）間のＴＡ値がわかる。前述したＴＡ情報要請メッセージにおいてＳＣｅｌｌ  ２（２００）のＰＣＩＤ（或いはＧＣＩＤ）が省略されてもよく、このようなＳＣｅｌｌ  ２（２００）のＰＣＩＤ（或いはＧＣＩＤ）が省略されたＴＡ情報要請メッセージを受信したＳＣｅｌｌ  １（１００）は、ＴＡ情報要請メッセージに情報が含まれている端末（ＵＥ）１０に、自身が知っているセルとのＴＡ値を全て送信することができる。
【０３１８】
すなわち、ＴＡ情報応答メッセージがメッセージタイプ（当該メッセージがＴＡ  ｉｎｆｏｒｍａｔｉｏｎ  ｒｅｓｐｏｎｓｅメッセージであることを示す指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、｛ＳＣｅｌｌ  １（１００）がＴＡを知っている任意のセルのＰＣＩＤ（或いはＧＣＩＤ）、ＳＣｅｌｌ  １（１００）と任意のセルとのＴＡ値｝などで構成されてもよく、上記ＴＡ情報応答メッセージは、ＳＣｅｌｌ  １（１００）から上位層信号などで送信されてもよい。
【０３１９】
一方、ＴＡ情報応答メッセージを受信した端末（ＵＥ）１０は、ＳＣｅｌｌ  １（１００）と任意のセルとのＴＡ値がわかり、特に、ＳＣｅｌｌ  １（１００）とＳＣｅｌｌ  ２（２００）間のＴＡ値がわかる。
【０３２０】
その後、端末（ＵＥ）はＰｃｅｌｌ（３００）からＳｃｅｌｌ活性化（Ｓｃｅｌｌ  ａｃｔｉｖａｔｉｏｎ）メッセージ（特に、ＳＣｅｌｌ  ２（２００）活性化メッセージ）を受信することができる（Ｓ２１０４）
【０３２１】
端末（ＵＥ）１０はＳＣｅｌｌ  ２（２００）の下りリンク同期を獲得した後、自身が接続していたＳＣｅｌｌ  １（１００）におけるＴＡ値、及びＳＣｅｌｌ  １（１００）とＳＣｅｌｌ  ２（２００）間のＴＡ値を用いて、ＳＣｅｌｌ  ２（２００）の上りリンク同期化情報を取得する。上記のような過程により、端末（ＵＥ）１０はＳＣｅｌｌ  ２（２００）と通信できることになる。
【０３２２】
図２２は、本発明の一実施例によって二重接続端末がスモールセルを追加する過程を説明するための図である。
【０３２３】
図２２は、Ｐｃｅｌｌ（３００）とＳＣｅｌｌ  １（１００）に同時に接続している二重接続端末（ＵＥ）１０にＳＣｅｌｌ  ２（２００）を追加する場合であり、すなわち、図１１に示したシナリオにおいてＳＣｅｌｌ  ２（２００）がＳｃｅｌｌ  １（１００）とｓＴＡＧに属する場合、端末（ＵＥ）１０はＳＣｅｌｌ  ２（２００）にランダムアクセス手順を行うことができる。
【０３２４】
このとき、本発明の一実施例によれば、Ｓｃｅｌｌの追加時に、新しく追加するＳＣｅｌｌ  ２（２００）の上りリンク同期化をより速く行うことができる。
【０３２５】
Ｓｃｅｌｌを追加する場合、ＳＣｅｌｌ  １（１００）とＳＣｅｌｌ  ２（２００）とのＴＡ値を管理する主体によって様々な方法を適用することができ、図２２ではＰＣｅｌｌ（３００）がＴＡ値を管理する場合を示している。
【０３２６】
二重接続端末（ＵＥ）の接続しているＰＣｅｌｌ（３００）は、ＳＣｅｌｌ  １（１００）と新しく追加するＳＣｅｌｌ  ２（２００）間のＴＡ値を管理することができる。
【０３２７】
例えば、図２２では、ＰＣｅｌｌ（３００）が端末（ＵＥ）１０に無線リソース制御接続再設定（ＲＲＣ  ｃｏｎｎｅｃｔｉｏｎ  ｒｅｃｏｎｆｉｇｕｒａｔｉｏｎ）メッセージを用いてＳＣｅｌｌ  ２（２００）を追加するメッセージを送信する（Ｓ２２０１）。
【０３２８】
このとき、上記無線リソース制御接続再設定メッセージにＳＣｅｌｌ  ２（２００）へのランダムアクセス手順の実行と関連した情報が含まれていない場合、或いは本発明で提案された方法を適用するという指示子が送信される場合には、端末（ＵＥ）１０は、本発明で提案された方法を適用すべきであるということがわかり、その後、ＳＣｅｌｌ  ２（２００）にランダムアクセス手順を行わずに、本発明で提案された手順を行う。
【０３２９】
その後、Ｐｃｅｌｌ（３００）はＳＣｅｌｌ  １（１００）にＴＡ情報要請（ＴＡ  ｉｎｆｏｒｍａｔｉｏｎ  ｒｅｑｕｅｓｔ）メッセージを送信する（Ｓ２２０２）。
【０３３０】
上記ＴＡ情報要請メッセージの構成は、メッセージタイプ（当該メッセージがＴＡ  ｉｎｆｏｒｍａｔｉｏｎ  ｒｅｑｕｅｓｔメッセージであることを知らせる指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、端末（ＵＥ）１０のＣ−ＲＮＴＩ（ＳＣｅｌｌ  １（１００）におけるＣ−ＲＮＴＩ或いはＰＣｅｌｌ（３００）におけるＣ−ＲＮＴＩ）などで構成されてもよく、上記ＴＡ情報要請メッセージは、ＳＣｅｌｌ  １（１００）とＰｃｅｌｌ（３００）間のＸ２インターフェースを介してバックホール（ａｉｒ−Ｂａｃｋｈａｕｌを含む。）で送信されてもよい。
【０３３１】
上記ＴＡ情報要請メッセージを受信したＳＣｅｌｌ  １（１００）は、Ｐｃｅｌｌ（３００）にＴＡ情報応答（ＴＡ  ｉｎｆｏｒｍａｔｉｏｎ  ｒｅｓｐｏｎｓｅ）メッセージを送信する（Ｓ２２０３）。
【０３３２】
上記ＴＡ情報応答メッセージは、メッセージタイプ（当該メッセージがＴＡ  ｉｎｆｏｒｍａｔｉｏｎ  ｒｅｓｐｏｎｓｅメッセージであることを示す指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、ＳＣｅｌｌ  １（１００）とＳＣｅｌｌ  ２（２００）間のＴＡ値などで構成されてもよく、上記ＴＡ情報応答メッセージは、ＳＣｅｌｌ  １（１００）とＰｃｅｌｌ（３００）間のＸ２インターフェースを介してバックホール（ａｉｒ−Ｂａｃｋｈａｕｌを含む。）で送信されてもよい。
【０３３３】
このようなＴＡ情報応答メッセージを受信したＰｃｅｌｌ（３００）は、ＳＣｅｌｌ  １（１００）とＳＣｅｌｌ  ２（２００）間のＴＡ値がわかる。前述したＴＡ  ｉｎｆｏｒｍａｔｉｏｎ  ｒｅｑｕｅｓｔメッセージにおいてＳＣｅｌｌ  ２（２００）のＰＣＩＤ（或いはＧＣＩＤ）が省略されてもよく、このようなＳＣｅｌｌ  ２（２００）のＰＣＩＤ（或いはＧＣＩＤ）が省略されたＴＡ情報要請メッセージを受信したＳＣｅｌｌ  １（１００）は、ＴＡ情報要請メッセージに情報が含まれている端末（ＵＥ）１０に、自身が知っているセルとのＴＡ値を全て送信することができる。
【０３３４】
すなわち、ＴＡ情報応答メッセージがメッセージタイプ（当該メッセージがＴＡ  ｉｎｆｏｒｍａｔｉｏｎ  ｒｅｓｐｏｎｓｅメッセージであることを示す指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、｛ＳＣｅｌｌ  １（１００）がＴＡを知っている任意のセルのＰＣＩＤ（或いはＧＣＩＤ）、ＳＣｅｌｌ  １（１００）と任意のセルとのＴＡ値｝などで構成されてもよく、上記ＴＡ情報応答メッセージは、ＳＣｅｌｌ  １（１００）とＰｃｅｌｌ（３００）間のＸ２インターフェースを介してバックホール（ａｉｒ−Ｂａｃｋｈａｕｌを含む。）で送信されてもよい。
【０３３５】
一方、ＴＡ情報応答メッセージを受信したＰｃｅｌｌ（３００）は、ＳＣｅｌｌ  １（１００）と任意のセルとのＴＡ値がわかり、特に、ＳＣｅｌｌ  １（１００）とＳＣｅｌｌ  ２（２００）とのＴＡ値がわかる。
【０３３６】
その後、Ｐｃｅｌｌ（３００）はＳｃｅｌｌ活性化（Ｓｃｅｌｌ  ａｃｔｉｖａｔｉｏｎ）メッセージ（特に、ＳＣｅｌｌ  ２（２００）活性化メッセージ）を端末（ＵＥ）１０に送信することができる（Ｓ２２０４）。
【０３３７】
Ｐｃｅｌｌ（３００）から上記Ｓｃｅｌｌ  ２活性化メッセージを受信した端末（ＵＥ）１０は、ＳＣｅｌｌ  ２（２００）の下りリンク同期を獲得した後、自身が接続していたＳＣｅｌｌ  １（１００）におけるＴＡ値、及びＳＣｅｌｌ  １（１００）とＳＣｅｌｌ  ２（２００）間のＴＡ値を用いて、ＳＣｅｌｌ  ２（２００）の上りリンク同期化情報を取得する。上記のような過程により、端末（ＵＥ）１０はＳＣｅｌｌ  ２（２００）と通信できることになる。
【０３３８】
図２３は、本発明の一実施例によって二重接続端末がスモールセルを追加する過程を説明するための図である。
【０３３９】
図２３を参照すると、Ｐｃｅｌｌ（３００）とＳＣｅｌｌ  １（１００）に同時に接続している二重接続端末（ＵＥ）１０にＳＣｅｌｌ  ２（２００）を追加する場合であり、すなわち、図１１に示したシナリオにおいてＳＣｅｌｌ  ２（２００）がＳｃｅｌｌ  １（１００）とｓＴＡＧに属する場合、端末（ＵＥ）１０はＳＣｅｌｌ  ２（２００）にランダムアクセス手順を行うことができる。
【０３４０】
このとき、本発明の一実施例によれば、Ｓｃｅｌｌの追加時に、新しく追加するＳＣｅｌｌ  ２（２００）の上りリンク同期化をより速く行うことができる。
【０３４１】
Ｓｃｅｌｌを追加する場合、ＳＣｅｌｌ  １（１００）とＳＣｅｌｌ  ２（２００）とのＴＡ値を管理する主体によって様々な方法を適用することができ、図２３ではＳＣｅｌｌ  ２（２００）がＴＡ値を管理する場合を示している。
【０３４２】
例えば、図２３では、ＰＣｅｌｌ（３００）が端末（ＵＥ）１０に無線リソース制御接続再設定（ＲＲＣ  ｃｏｎｎｅｃｔｉｏｎ  ｒｅｃｏｎｆｉｇｕｒａｔｉｏｎ）メッセージを用いてＳＣｅｌｌ  ２（２００）を追加するメッセージを送信する（Ｓ２３０１）。
【０３４３】
このとき、上記無線リソース制御接続再設定メッセージにＳＣｅｌｌ  ２（２００）へのランダムアクセス手順の実行と関連した情報が含まれていない場合、或いは本発明で提案された方法を適用するという指示子が送信される場合には、端末（ＵＥ）１０は、本発明で提案された方法を適用すべきであるということがわかり、その後、ＳＣｅｌｌ  ２（２００）にランダムアクセス手順を行わずに、本発明で提案された手順を行う。
【０３４４】
その後、Ｐｃｅｌｌ（３００）はＳｃｅｌｌ活性化（Ｓｃｅｌｌ  ａｃｔｉｖａｔｉｏｎ）メッセージ（特に、ＳＣｅｌｌ  ２（２００）活性化メッセージ）を端末（ＵＥ）１０に送信することができる（Ｓ２３０２）。
【０３４５】
Ｐｃｅｌｌ（３００）から上記Ｓｃｅｌｌ  ２活性化メッセージを受信した端末（ＵＥ）１０は、ＳＣｅｌｌ  ２（２００）の下りリンク同期を獲得することができる。
【０３４６】
一方、Ｐｃｅｌｌ（３００）はＳＣｅｌｌ  ２（２００）にＴＡ情報要請（ＴＡ  ｉｎｆｏｒｍａｔｉｏｎ  ｒｅｑｕｅｓｔ）メッセージを送信する（Ｓ２３０３）。
【０３４７】
上記ＴＡ情報要請メッセージの構成は、メッセージタイプ（当該メッセージがＴＡ  ｉｎｆｏｒｍａｔｉｏｎ  ｒｅｑｕｅｓｔメッセージであることを知らせる指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、端末（ＵＥ）１０のＣ−ＲＮＴＩ（ＳＣｅｌｌ  １（１００）におけるＣ−ＲＮＴＩ或いはＰＣｅｌｌ（３００）におけるＣ−ＲＮＴＩ）などで構成されてもよく、上記ＴＡ情報要請メッセージは、ＳＣｅｌｌ  ２（２００）とＰｃｅｌｌ（３００）間のＸ２インターフェースを介してバックホール（ａｉｒ−Ｂａｃｋｈａｕｌを含む。）で送信されてもよい。
【０３４８】
上記ＴＡ情報要請メッセージを受信したＳＣｅｌｌ  ２（２００）は、上記ＴＡ情報要請メッセージに情報が含まれていた端末（ＵＥ）１０に、ＴＡ情報応答（ＴＡ  ｉｎｆｏｒｍａｔｉｏｎ  ｒｅｓｐｏｎｓｅ）メッセージを送信する（Ｓ２３０４）。
【０３４９】
上記ＴＡ情報応答メッセージは、メッセージタイプ（当該メッセージがＴＡ  ｉｎｆｏｒｍａｔｉｏｎ  ｒｅｓｐｏｎｓｅメッセージであることを示す指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、ＳＣｅｌｌ  １（１００）とＳＣｅｌｌ  ２（２００）間のＴＡ値などで構成されてもよく、上記ＴＡ情報応答メッセージは、上位層信号などで送信されてもよい。
【０３５０】
このようなＴＡ情報応答メッセージを受信した端末（ＵＥ）１０は、ＳＣｅｌｌ  １（１００）とＳＣｅｌｌ  ２（２００）間のＴＡ値がわかる。前述したＴＡ情報要請メッセージにおいてＳＣｅｌｌ  １（１００）のＰＣＩＤ（或いはＧＣＩＤ）が省略されてもよく、このようなＳＣｅｌｌ  １（１００）のＰＣＩＤ（或いはＧＣＩＤ）が省略されたＴＡ情報要請メッセージを受信したＳＣｅｌｌ  ２（２００）は、端末（ＵＥ）１０に自身が知っているセルとのＴＡ値を全て送信することができる。
【０３５１】
すなわち、ＴＡ情報応答メッセージがメッセージタイプ（当該メッセージがＴＡ  ｉｎｆｏｒｍａｔｉｏｎ  ｒｅｓｐｏｎｓｅメッセージであることを示す指示子）、ＳＣｅｌｌ  ２（２００）のＰＣＩＤ（或いはＧＣＩＤ）、｛ＳＣｅｌｌ  ２（２００）がＴＡを知っている任意のセルのＰＣＩＤ（或いはＧＣＩＤ）、ＳＣｅｌｌ  ２（２００）と任意のセルとのＴＡ値｝などで構成されてもよく、上記ＴＡ情報応答メッセージは、上位層信号などで送信されてもよい。
【０３５２】
一方、ＴＡ情報応答メッセージを受信した端末（ＵＥ）１０は、ＳＣｅｌｌ  ２（２００）と任意のセルとのＴＡ値がわかり、特に、ＳＣｅｌｌ  １（１００）とＳＣｅｌｌ  ２（２００）とのＴＡ値がわかる。自身が接続していたＳＣｅｌｌ  １（１００）におけるＴＡ値、及びＳＣｅｌｌ  １（１００）とＳＣｅｌｌ  ２（２００）間のＴＡ値を用いて、ＳＣｅｌｌ  ２（２００）の上りリンク同期化情報を取得する。この過程により、端末（ＵＥ）１０はＳＣｅｌｌ  ２（２００）と通信できることになる。
【０３５３】
図２４は、本発明の一実施例によって二重接続端末がスモールセルを追加する過程を説明するための図である。
【０３５４】
図２４を参照すると、Ｐｃｅｌｌ（３００）とＳＣｅｌｌ  １（１００）に同時に接続している二重接続端末（ＵＥ）１０にＳＣｅｌｌ  ２（２００）を追加する場合であり、すなわち、図１１に示したシナリオにおいてＳＣｅｌｌ  ２（２００）がＳｃｅｌｌ  １（１００）とｓＴＡＧに属する場合、端末（ＵＥ）１０はＳＣｅｌｌ  ２（２００）にランダムアクセス手順を行うことができる。
【０３５５】
このとき、本発明の一実施例によれば、Ｓｃｅｌｌの追加時に、新しく追加するＳＣｅｌｌ  ２（２００）の上りリンク同期化をより速く行うことができる。
【０３５６】
Ｓｃｅｌｌを追加する場合、ＳＣｅｌｌ  １（１００）とＳＣｅｌｌ  ２（２００）とのＴＡ値を管理する主体によって様々な方法を適用することができ、図２４ではＳＣｅｌｌ  ２（２００）がＴＡ値を管理する場合を示している。
【０３５７】
例えば、図２４では、ＰＣｅｌｌ（３００）が端末（ＵＥ）１０に無線リソース制御接続再設定（ＲＲＣ  ｃｏｎｎｅｃｔｉｏｎ  ｒｅｃｏｎｆｉｇｕｒａｔｉｏｎ）メッセージを用いてＳＣｅｌｌ  ２（２００）を追加するメッセージを送信する（Ｓ２４０１）。
【０３５８】
このとき、上記無線リソース制御接続再設定メッセージにＳＣｅｌｌ  ２（２００）へのランダムアクセス手順の実行と関連した情報が含まれていない場合、或いは本発明で提案された方法を適用するという指示子が送信される場合には、端末（ＵＥ）１０は、本発明で提案された方法を適用すべきであるということがわかり、その後、ＳＣｅｌｌ  ２（２００）にランダムアクセス手順を行わずに、本発明で提案された手順を行う。
【０３５９】
その後、Ｐｃｅｌｌ（３００）はＳＣｅｌｌ  ２（２００）にＴＡ情報要請（ＴＡ  ｉｎｆｏｒｍａｔｉｏｎ  ｒｅｑｕｅｓｔ）メッセージを送信する（Ｓ２４０２）。
【０３６０】
上記ＴＡ情報要請メッセージの構成は、メッセージタイプ（当該メッセージがＴＡ  ｉｎｆｏｒｍａｔｉｏｎ  ｒｅｑｕｅｓｔメッセージであることを知らせる指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、端末（ＵＥ）１０のＣ−ＲＮＴＩ（ＳＣｅｌｌ  １（１００）におけるＣ−ＲＮＴＩ或いはＰＣｅｌｌ（３００）におけるＣ−ＲＮＴＩ）などで構成されてもよく、上記ＴＡ情報要請メッセージは、ＳＣｅｌｌ  ２（２００）とＰｃｅｌｌ（３００）間のＸ２インターフェースを介してバックホール（ａｉｒ−Ｂａｃｋｈａｕｌを含む。）で送信されてもよい。
【０３６１】
上記ＴＡ情報要請メッセージを受信したＳＣｅｌｌ  ２（２００）はＰｃｅｌｌ（３００）にＴＡ情報応答（ＴＡ  ｉｎｆｏｒｍａｔｉｏｎ  ｒｅｓｐｏｎｓｅ）メッセージを送信する（Ｓ２４０３）。
【０３６２】
上記ＴＡ情報応答メッセージは、メッセージタイプ（当該メッセージがＴＡ  ｉｎｆｏｒｍａｔｉｏｎ  ｒｅｓｐｏｎｓｅメッセージであることを示す指示子）、ＳＣｅｌｌ  １（１００）のＰＣＩＤ（或いはＧＣＩＤ）、Ｐｃｅｌｌ（３００）のＰＣＩＤ（或いはＧＣＩＤ）、ＳＣｅｌｌ  ２（２００）のＰＣＩＤ（或いはＧＣＩＤ）、ＳＣｅｌｌ  １（１００）とＳＣｅｌｌ  ２（２００）間のＴＡ値などで構成されてもよく、上記ＴＡ情報応答メッセージは、ＳＣｅｌｌ  ２（２００）とＰｃｅｌｌ（３００）間のＸ２インターフェースを介してバックホール（ａｉｒ−Ｂａｃｋｈａｕｌを含む。）で送信されてもよい。
【０３６３】
このようなＴＡ情報応答メッセージを受信したＰｃｅｌｌ（３００）は、ＳＣｅｌｌ  １（１００）とＳＣｅｌｌ  ２（２００）間のＴＡ値がわかる。前述したＴＡ情報要請メッセージにおいてＳＣｅｌｌ  １（１００）のＰＣＩＤ（或いはＧＣＩＤ）が省略されてもよく、このようなＳＣｅｌｌ  １（１００）のＰＣＩＤ（或いはＧＣＩＤ）が省略されたＴＡ情報要請メッセージを受信したＳＣｅｌｌ  ２（２００）は、Ｐｃｅｌｌ（３００）に、自身が知っているセルとのＴＡ値を全て送信することができる。
【０３６４】
すなわち、ＴＡ情報応答メッセージがメッセージタイプ（当該メッセージがＴＡ  ｉｎｆｏｒｍａｔｉｏｎ  ｒｅｓｐｏｎｓｅメッセージであることを示す指示子）、ＳＣｅｌｌ  ２（２００）のＰＣＩＤ（或いはＧＣＩＤ）、｛ＳＣｅｌｌ  ２（２００）がＴＡを知っている任意のセルのＰＣＩＤ（或いはＧＣＩＤ）、ＳＣｅｌｌ  ２（２００）と任意のセルとのＴＡ値｝などで構成されてもよい。このようなメッセージは、ＳＣｅｌｌ  ２（２００）とＰｃｅｌｌ（３００）間のＸ２インターフェースを介してバックホール（ａｉｒ−Ｂａｃｋｈａｕｌを含む。）で送信されてもよい。
【０３６５】
このようなＴＡ情報応答メッセージを受信したＰｃｅｌｌ（３００）は、ＳＣｅｌｌ  ２（２００）と任意のセルとのＴＡ値がわかり、特に、ＳＣｅｌｌ  １（１００）とＳＣｅｌｌ  ２（２００）とのＴＡ値がわかる。その後、Ｐｃｅｌｌ（３００）はＳｃｅｌｌ活性化（Ｓｃｅｌｌ  ａｃｔｉｖａｔｉｏｎ）メッセージ（特に、ＳＣｅｌｌ  ２（２００）活性化メッセージ）を端末（ＵＥ）１０に送信することができる（Ｓ２４０４）。
【０３６６】
Ｐｃｅｌｌ（３００）から上記Ｓｃｅｌｌ  ２活性化メッセージを受信した端末（ＵＥ）１０は、ＳＣｅｌｌ  ２（２００）の下りリンク同期を獲得でき、自身が接続していたＳＣｅｌｌ  １（１００）におけるＴＡの値、及びＳＣｅｌｌ  １（１００）とＳＣｅｌｌ  ２（２００）間のＴＡ値を用いて、ＳＣｅｌｌ  ２（２００）の上りリンク同期化情報を取得する。この過程により、端末（ＵＥ）１０はＳＣｅｌｌ  ２（２００）と通信できることになる。
【０３６７】
図２５は、本発明の一実施例によって二重接続端末がスモールセルを追加する過程を説明するための図である。
【０３６８】
図２５を参照すると、Ｐｃｅｌｌ（３００）とＳＣｅｌｌ  １（１００）に同時に接続している二重接続端末（ＵＥ）１０にＳＣｅｌｌ  ２（２００）を追加する場合であり、すなわち、図１１に示したシナリオにおいてＳＣｅｌｌ  ２（２００）がＳｃｅｌｌ  １（１００）とｓＴＡＧに属する場合、端末（ＵＥ）１０はＳＣｅｌｌ  ２（２００）にランダムアクセス手順を行うことができる。
【０３６９】
このとき、本発明の一実施例によれば、Ｓｃｅｌｌの追加時に、新しく追加するＳＣｅｌｌ  ２（２００）の上りリンク同期化をより速く行うことができる。
【０３７０】
Ｓｃｅｌｌを追加する場合、ＳＣｅｌｌ  １（１００）とＳＣｅｌｌ  ２（２００）とのＴＡ値を管理する主体によって様々な方法を適用することができ、図２５ではＰｃｅｌｌ（３００）がＴＡ値を管理する場合を示している。
【０３７１】
一方、ＳＣｅｌｌ  １（１００）とＳＣｅｌｌ  ２（２００）間のＴＡ値をＰＣｅｌｌ（３００）が知っていてもよい。この場合、Ｐｃｅｌｌ（３００）は、ＰｃｅｌｌとＳＣｅｌｌ  １（１００）に同時に接続している二重接続端末（ＵＥ）１０にＳＣｅｌｌ  ２（２００）を追加する無線リソース制御接続再設定（ＲＲＣ  ｃｏｎｎｅｃｔｉｏｎ  ｒｅｃｏｎｆｉｇｕｒａｔｉｏｎ）メッセージを端末（ＵＥ）１０に送信する時（Ｓ２５０１）、ＳＣｅｌｌ  １（１００）のＰＣＩＤ（或いはＧＣＩＤ）、ＳＣｅｌｌ  ２（２００）のＰＣＩＤ（或いはＧＣＩＤ）、ＳＣｅｌｌ  １（１００）とＳＣｅｌｌ  ２（２００）間のＴＡ値などをさらに送信することができ、一方、Ｐｃｅｌｌ（３００）がＳＣｅｌｌ  ２（２００）を活性化するＳｃｅｌｌ  ２活性化（Ｓｃｅｌｌ  ２  ａｃｔｉｖａｔｉｏｎ）メッセージを送信する時（Ｓ２５０２）、ＳＣｅｌｌ  １（１００）のＰＣＩＤ（或いはＧＣＩＤ）、ＳＣｅｌｌ  ２（２００）のＰＣＩＤ（或いはＧＣＩＤ）、ＳＣｅｌｌ  １（１００）とＳＣｅｌｌ  ２（２００）間のＴＡ値などをさらに送信することもできる。
【０３７２】
このような情報を受信した端末（ＵＥ）１０は、ＳＣｅｌｌ  ２（２００）が活性化された後、ＳＣｅｌｌ  ２（２００）の上りリンク同期化情報を取得する時に、ＳＣｅｌｌ  １（１００）とＳＣｅｌｌ  ２（２００）間のＴＡ値、及びＳＣｅｌｌ  １（１００）と端末（ＵＥ）１０間のＴＡ値を用いて、より早く上りリンク同期化情報を取得することができる。
【０３７３】
すなわち、端末（ＵＥ）１０はＳＣｅｌｌ  ２（２００）へのランダムアクセス手順を行わずにも上りリンク同期化情報を取得することができる。
【０３７４】
図２６は、本発明の一実施例に係る無線通信システムにおいて基地局から同期化のための情報を受信する端末のブロック構成図である。
【０３７５】
図２６では端末１００と基地局２００間の１：１通信環境を示しているが、複数の端末と基地局間の通信環境も構築することができる。
【０３７６】
図２６で、端末１００は、送信部１１１及び受信部１１２を含む無線周波数（ＲＦ）ユニット１１０、プロセッサ１２０、及びメモリ１３０を備えることができる。
【０３７７】
端末１００の信号処理、階層処理など通信の全般的な過程はプロセッサ１２０及びメモリ１３０によって制御される。また、ＲＦユニット１１０、プロセッサ１２０及びメモリ１３０の間には接続関係が形成されてもよい。
【０３７８】
端末１００のＲＦユニット１１０は送信部１１１及び受信部１１２を含むことができる。送信部１１１及び受信部１１２は、基地局２００又は他のデバイスと信号を送信及び受信するように構成されてもよい。
【０３７９】
プロセッサ１２０は、ＲＦユニットにおける送信部１１１及び受信部１１２と機能的に連結されて、送信部１１１及び受信部１１２が基地局２００及び他のデバイスに信号を送受信する過程を制御するように構成されてもよい。また、プロセッサ１２０は、送信する信号に対する各種処理を行った後に送信部１１１に送信し、受信部１１２に受信された信号に対する処理を行うことができる。
【０３８０】
必要な場合、プロセッサ１２０は、交換されたメッセージに含まれた情報をメモリ１３０に記憶することができる。このような構造により、端末１００は、以上で説明した本発明の様々な実施の形態の方法を実行することができる。
【０３８１】
基地局（ＢＳ）２００の送信部２１１及び受信部２１２を含むＲＦユニット２１０は、端末１００と信号を送信及び受信するように構成される。また、基地局２００のプロセッサ２２０は、送信部２１１及び受信部２１２と機能的に連結されて、送信部２１１及び受信部２１２が上記端末１００を含む他のデバイスと信号を送受信する過程を制御するように構成されてもよい。
【０３８２】
また、プロセッサ２２０は、送信する信号に対する各種処理を行った後に送信部２１１に送信し、受信部２１２に受信された信号に対する処理を行うことができる。
【０３８３】
必要な場合、プロセッサ２２０は、交換されたメッセージに含まれた情報をメモリ２３０に記憶することができる。このような構造により、基地局２００は、前述した様々な実施の形態の方法を実行することができる。
【０３８４】
端末１００及び基地局２００のプロセッサ１２０，２２０は、端末１００及び基地局２００の動作を指示（例えば、制御、調整、管理など）する。それぞれのプロセッサ１２０，２２０は、プログラムコード及びデータを格納可能なメモリ１３０，２３０と接続されてもよい。メモリ１３０，２３０は、プロセッサ１２０，２２０に接続されてオペレーティングシステム、アプリケーション、及び一般ファイル（ｇｅｎｅｒａｌ  ｆｉｌｅｓ）を格納することができる。
【０３８５】
本発明のプロセッサ１２０，２２０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１２０，２２０は、ハードウェア（ｈａｒｄｗａｒｅ）、ファームウェア（ｆｉｒｍｗａｒｅ）、ソフトウェア、又はそれらの結合によって具現することができる。
【０３８６】
ファームウェアやソフトウェアによる具現の場合、本発明の一実施例は、以上で説明された機能又は動作を実行するモジュール、手順、関数などの形態として具現されてもよい。ソフトウェアコードはメモリ１３０，２３０に格納されてプロセッサ１２０，２２０によって駆動されてもよい。メモリは端末１００及び基地局２００の内部又は外部に設けられ、既に公知の様々な手段によってプロセッサ１２０，２２０とデータを授受することができる。
【０３８７】
ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などがプロセッサ１２０，２２０に具備されてもよい。
【０３８８】
一方、上述した方法は、コンピュータで実行可能なプログラムとして作成可能であり、コンピュータ読み取り可能媒体を用いて上記プログラムを動作させる汎用ディジタルコンピュータによって具現することができる。また、上述した方法で使われたデータの構造は、コンピュータ読み取り可能媒体に様々な手段によって書き込まれてもよい。本発明の様々な方法を実行するための実行可能なコンピュータコードを含む格納デバイスを説明するために使用可能なプログラム格納デバイスは、搬送波（ｃａｒｒｉｅｒ  ｗａｖｅｓ）や信号などのように一時的な対象を含むものとして理解されてはならない。上記コンピュータ読み取り可能媒体は、マグネチック記憶媒体（例えば、ＲＯＭ、フロッピー（登録商標）ディスク、ハードディスクなど）、光学的読み取り媒体（例えば、ＣＤ−ＲＯＭ、ＤＶＤなど）のような記憶媒体を含む。
【０３８９】
本願発明の実施例は、当該技術の分野における通常の知識を有する者にとって、以上に記載の本質的な特性から逸脱しない範囲で変形された形態として具現可能であるということは明らかである。したがって、開示された方法は限定的な観点ではなく説明的観点で考慮されなければならない。本発明の範囲は、発明の詳細な説明ではなく特許請求の範囲に表され、これと同等な範囲内における差異点はいずれも本発明の範囲に含まれるものとして解釈されなければならない。
【産業上の利用可能性】
【０３９０】
本発明である、基地局が端末の同期化のための情報を送信する方法は、様々な無線通信システムに適用することが可能である。
【図１】
0006392332.tif 000002
【図２】
0006392332.tif 000003
【図３】
0006392332.tif 000004
【図４】
0006392332.tif 000005
【図５】
0006392332.tif 000006
【図６】
0006392332.tif 000007
【図７】
0006392332.tif 000008
【図８】
0006392332.tif 000009
【図９】
0006392332.tif 000010
【図１０】
0006392332.tif 000011
【図１１】
0006392332.tif 000012
【図１２】
0006392332.tif 000013
【図１３】
0006392332.tif 000014
【図１４】
0006392332.tif 000015
【図１５】
0006392332.tif 000016
【図１６】
0006392332.tif 000017
【図１７】
0006392332.tif 000018
【図１８】
0006392332.tif 000019
【図１９】
0006392332.tif 000020
【図２０】
0006392332.tif 000021
【図２１】
0006392332.tif 000022
【図２２】
0006392332.tif 000023
【図２３】
0006392332.tif 000024
【図２４】
0006392332.tif 000025
【図２５】
0006392332.tif 000026
【図２６】
0006392332.tif 000027